(57)【要約】【課題】糊代で貼り合わせた後の仕上がり用紙において、余白を少なくすること。【解決手段】コンピュータを、元画像の画像データおよび元画像用紙サイズを記憶する元画像記憶手段（Ｃ１）と、前記元画像用紙サイズよりも小さなサイズの印刷用紙に分割して印刷する際に使用する印刷パラメータの設定を行う分割印刷設定画面を表示する分割印刷設定画面表示手段（Ｃ２）と、前記印刷用紙設定画像への入力により定まる印刷用紙のサイズおよび枚数を記憶する印刷用紙設定値記憶手段（Ｃ３Ｃ）とを有する印刷用紙設定手段（Ｃ３）と、前記複数の印刷用紙を糊付けする糊代の幅を設定する糊代設定画像を表示する糊代設定画像表示手段（Ｃ４Ａ）と、糊代の幅を記憶する糊代幅設定値記憶手段（Ｃ４Ｂ）とを有する糊代設定手段（Ｃ４）として機能させる画像処理プログラム。【選択図】    図２
2004288068.tif 000002
【特許請求の範囲】
【請求項１】
コンピュータを下記の手段（Ａ０１）〜（Ａ０４）として機能させる画像処理プログラム、
（Ａ０１）印刷対象となる元画像の画像データおよび前記元画像を印刷する用紙のサイズである元画像用紙サイズを記憶する元画像記憶手段、
（Ａ０２）前記元画像を前記元画像用紙サイズよりも小さなサイズの印刷用紙に分割して印刷する際に使用する印刷パラメータの設定を行うための画面である分割印刷設定画面を表示する分割印刷設定画面表示手段、
（Ａ０３）前記印刷用紙の枚数およびサイズを設定するための印刷用紙設定画像を前記分割印刷設定画面に表示する印刷用紙設定画像表示手段と、前記印刷用紙設定画像への入力により定まる印刷用紙のサイズおよび枚数を使用印刷用紙設定サイズおよび印刷用紙使用枚数設定値として記憶する印刷用紙設定値記憶手段とを有する印刷用紙設定手段、
（Ａ０４）前記複数の印刷用紙を糊付けする糊代の幅を設定するための糊代設定画像を前記分割印刷設定画面に表示する糊代設定画像表示手段と、前記糊代設定画像への入力により定まる複数の各印刷用紙の糊代の幅を糊代幅設定値として記憶する糊代幅設定値記憶手段とを有する糊代設定手段。
【請求項２】
コンピュータを下記の手段（Ａ０３′）として機能させる請求項１記載の画像処理プログラム、
（Ａ０３′）前記使用可能な印刷用紙のサイズを記憶する使用可能用紙サイズ記憶手段と、前記使用可能用紙サイズおよび前記元画像用紙サイズに基づいて、前記使用印刷用紙設定サイズおよび印刷用紙使用枚数設定値を自動的に設定する印刷用紙自動設定手段と、前記自動設定された使用印刷用紙設定サイズおよび印刷用紙使用枚数設定値を記憶する印刷用紙自動設定値記憶手段とを有する前記印刷用紙設定手段。
【請求項３】
コンピュータを下記の手段（Ａ０４′）として機能させる請求項１または２記載の画像処理プログラム、
（Ａ０４′）前記使用印刷用紙設定サイズおよび印刷用紙使用枚数設定値と前記元画像用紙サイズとに基づいて、前記複数の印刷用紙の糊代幅を自動的に設定する糊代幅自動設定手段と、前記自動設定された糊代幅の設定値を記憶する糊代幅自動設定値記憶手段とを有する前記糊代設定手段。
【請求項４】
コンピュータを下記の手段（Ａ０５）として機能させる請求項１ないし３のいずれか記載の画像処理プログラム、
（Ａ０５）前記複数の印刷用紙の前記設定された糊代部分が重なった状態で形成される糊代重合用紙（仕上がり用紙）の画像である仕上がり用紙画像を前記分割印刷設定画面に表示する糊代重合用紙表示手段。
【請求項５】
コンピュータを下記の手段（Ａ０６）として機能させる請求項１ないし４のいずれか記載の画像処理プログラム、
（Ａ０６）前記糊仕上がり用紙画像に前記元画像を重ねた画像である用紙元画像重合画像を前記分割印刷設定画面に表示する用紙・元画像重合画像表示手段。
【請求項６】
コンピュータを下記の手段（Ａ０７）として機能させる請求項１ないし５のいずれか記載の画像処理プログラム、
（Ａ０７）前記元画像のサイズに倍率ａ（ａ＞０）を乗算した倍率乗算画像を前記糊代重合用紙（仕上がり用紙）上に形成する際の前記倍率ａを設定するための倍率設定画像を前記分割印刷設定画面に表示するための倍率設定画像表示手段と、前記倍率設定画像への入力により定まる前記倍率ａを倍率設定値として記憶する倍率設定値記憶手段とを有する倍率設定手段。
【請求項７】
コンピュータを下記の手段（Ａ０８）として機能させる請求項６記載の画像処理プログラム、
（Ａ０８）前記元画像のサイズに倍率ａを乗算した倍率乗算画像を前記糊代重合用紙（仕上がり用紙）上に形成する際の前記倍率ａを自動設定することを選択するための倍率自動設定選択画像を表示する倍率自動設定選択画像表示手段と、前記倍率自動設定選択画像が選択された時に元画像の用紙サイズの縦長さをＧｔ、横長さをＧｙとし、仕上がり用紙サイズの縦長さをＳｔ、横長さをＳｙとした場合に、（Ｓｔ／Ｇｔ）＞（Ｓｙ／Ｇｙ）である時には前記倍率ａ＝（Ｓｙ／Ｇｙ）に設定し、（Ｓｙ／Ｇｙ）＞（Ｓｔ／Ｇｔ）である時には前記倍率ａ＝（Ｓｔ／Ｇｔ）に設定して記憶する倍率自動設定値記憶手段とを有する倍率自動設定手段を備えた前記倍率設定手段。
【請求項８】
コンピュータを下記の手段（Ａ０９）として機能させる請求項６または７記載の画像処理プログラム、
（Ａ０９）設定された倍率ａを前記元画像サイズに乗算した倍率乗算画像を前記仕上がり用紙画像に重ねた画像である用紙倍率乗算画像重合画像を前記分割印刷設定画面に表示する用紙・倍率乗算画像重合画像表示手段。
【請求項９】
コンピュータを下記の手段（Ａ０１０）として機能させる請求項１ないし８のいずれか記載の画像処理プログラム、
（Ａ０１０）前記仕上がり用紙を形成する複数の印刷用紙を糊付けする際の前記複数の用紙を重ね合わせる順序を設定するための重合わせ順序設定画像を前記分割印刷設定画面に表示する重ね合わせ順序設定画像表示手段と、前記重合わせ順序設定画像への入力により定まる前記重合わせ順序を記憶する重合わせ順序記憶手段とを有する重合わせ順序設定手段。
【請求項１０】
コンピュータを下記の手段（Ａ０１１）として機能させる請求項９記載の画像処理プログラム、
（Ａ０１１）前記重ね合わせ順序に基づいて前記各印刷用紙の糊代位置を自動的に設定する糊代位置自動設定手段と、前記糊代位置自動設定手段により設定された糊代位置を印刷用紙毎に記憶する糊代位置記憶手段とを有する糊代位置設定手段。
【請求項１１】
コンピュータを下記の手段（Ａ０１２），（Ａ０１３）として機能させる請求項９または１０記載の画像処理プログラム、
（Ａ０１２）分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する綴じ位置指定記憶手段、（Ａ０１３）前記仕上がり用紙を綴じる位置の指定に応じて、予め設定した前記仕上がり用紙を形成する複数の印刷用紙の前記重ね合わせ順序である重ね合わせ順序初期設定を記憶する重ね合わせ順序初期設定記憶手段を有する前記重ね合わせ順序設定手段。
【請求項１２】
前記請求項１ないし１１のいずれか記載の画像処理プログラムを記憶していることを特徴とするコンピュータが読み取り可能な記憶媒体。
【請求項１３】
コンピュータを下記の手段（Ｂ０１）として機能させる印刷データ作成プログラム、
（Ｂ０１）印刷対象となる元画像の画像データと、元画像を分割印刷することを指定する分割印刷指定データと、前記元画像を印刷した時の印刷画像サイズの前記元画像サイズに対する倍率ａの設定値と、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む印刷データを作成する印刷データ作成手段。
【請求項１４】
コンピュータを下記の手段（Ｂ０２）として機能させる請求項１３記載の画像処理プログラム、
（Ｂ０２）前記印刷データを画像処理装置に送信する印刷データ送信手段。
【請求項１５】
コンピュータを下記の手段（Ｂ０３）として機能させる請求項１４記載の画像処理プログラム、
（Ｂ０３）両面印刷を指定する両面印刷指定データを含む前記印刷データを作成する前記印刷データ作成手段。
【請求項１６】
コンピュータを下記の手段（Ｂ０４）として機能させる請求項１４記載の画像処理プログラム、
（Ｂ０４）両面印刷を指定された場合で且つ分割用紙の裏面への画像記録時の印刷対象となる元画像の画像データは有るが、元画像を分割印刷することを指定する分割印刷指定データ、裏面への画像記録時の分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する裏面記録時設定値自動設定手段。
【請求項１７】
コンピュータを下記の手段（Ｂ０５）として機能させる請求項１４ないし１６のいずれか記載の画像処理プログラム、
（Ｂ０５）分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを含む前記印刷データを作成する前記印刷データ作成手段。
【請求項１８】
前記請求項１３ないし１７のいずれか記載の画像処理プログラムを記憶していることを特徴とするコンピュータが読み取り可能な記憶媒体。
【請求項１９】
下記の構成要件（Ｃ０１）〜（Ｃ０４）を備えた画像処理装置、
（Ｃ０１）印刷対象となる元画像の画像データと、前記元画像を印刷した時の印刷画像サイズの前記元画像サイズに対する倍率の設定値ａと、元画像を分割印刷することを指定する分割印刷指定データと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む送信用印刷データを受信したときに受信印刷データとして記憶する受信印刷データ記憶手段、
（Ｃ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段、
（Ｃ０３）前記元画像サイズと前記倍率ａとに基づいて定まる印刷画像を記録するための印刷画像データを、前記各用紙の前記露出領域である画像記録領域毎に割り付ける印刷画像データ割り付け手段、
（Ｃ０４）前記各印刷用紙の前記各画像記録領域毎に割り付けられた印刷画像データを、前記各印刷用紙の各画像記録領域に印刷するように印刷装置の動作を制御する印刷制御手段。
【請求項２０】
下記の構成要件（Ｃ０５），（Ｃ０６）を備えた請求項１９記載の画像処理装置、
（Ｃ０５）両面印刷を指定する両面印刷指定データを含む前記受信印刷データを記憶する前記受信印刷データ記憶手段、
（Ｃ０６）両面印刷を指定された場合で且つ分割用紙の裏面への画像記録時の印刷対象となる元画像の画像データは有るが、元画像を分割印刷することを指定する分割印刷指定データ、裏面への画像記録時の分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する裏面記録時設定値自動設定手段。
【請求項２１】
下記の構成要件（Ｃ０７），（Ｃ０８）を備えた請求項２０記載の画像処理装置、
（Ｃ０７）分割印刷した画像印刷用紙を糊付けした後の複数の仕上がり用紙を綴じる位置が画像の左側で綴じる左綴じかまたは画像の上側で綴じる上綴じかを指定する綴じ位置指定データを含む前記受信印刷データを記憶する前記受信印刷データ記憶手段、
（Ｃ０８）前記仕上がり用紙の綴じ位置が上綴じに指定された場合、分割用紙の裏面への画像記録時の印刷対象となる元画像の画像データを１８０°回転させた回転画像と前記倍率ａとに基づいて定まる印刷画像を記録するための印刷画像データを、前記各用紙の前記露出領域である画像記録領域毎に割り付ける前記印刷画像データ割り付け手段。
【請求項２２】
下記の構成要件（Ｄ０１）〜（Ｄ０６）を備えた画像処理装置、
（Ｄ０１）印刷対象となる元画像の画像データおよび前記元画像を印刷する用紙のサイズである元画像用紙サイズを記憶する元画像記憶手段、
（Ｄ０２）前記元画像を前記元画像用紙サイズよりも小さなサイズの印刷用紙に分割して印刷する際に使用する印刷パラメータの設定を行うための画面である分割印刷設定画面を表示する分割印刷設定画面表示手段、
（Ｄ０３）前記印刷用紙の枚数およびサイズを設定するための印刷用紙設定画像を前記分割印刷設定画面に表示する印刷用紙設定画像表示手段と、前記印刷用紙設定画像への入力により定まる印刷用紙のサイズおよび枚数を使用印刷用紙設定サイズおよび印刷用紙使用枚数設定値として記憶する印刷用紙設定値記憶手段とを有する印刷用紙設定手段、
（Ｄ０４）前記複数の印刷用紙を糊付けする糊代の幅を設定するための糊代設定画像を前記分割印刷設定画面に表示する糊代設定画像表示手段と、前記糊代設定画像への入力により定まる複数の各印刷用紙の糊代の幅を糊代幅設定値として記憶する糊代幅設定値記憶手段とを有する糊代設定手段、
（Ｄ０５）前記元画像の画像データと、前記使用印刷用紙設定サイズおよび印刷用紙使用枚数設定値と、前記糊代幅設定値とを含む印刷データを作成する印刷データ作成手段、
（Ｄ０６）前記印刷データを印刷装置または画像処理装置に送信する印刷データ送信手段。
【請求項２３】
下記の構成要件（Ｅ０１）〜（Ｅ０４）を備えた画像処理装置、
（Ｅ０１）印刷対象となる元画像の画像データと、前記元画像を印刷した時の印刷画像サイズの前記元画像サイズに対する倍率の設定値ａと、元画像を分割印刷することを指定する分割印刷指定データと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む送信用印刷データを受信したときに受信印刷データとして記憶する受信印刷データ記憶手段、
（Ｅ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段、
（Ｅ０３）前記元画像サイズと前記倍率ａとに基づいて定まる印刷画像を記録するための印刷画像データを、前記各用紙の前記露出領域である画像記録領域毎に割り付ける印刷画像データ割り付け手段、
（Ｅ０４）前記各印刷用紙の前記各画像記録領域毎に割り付けられた印刷画像データを、前記各印刷用紙の各画像記録領域に印刷する画像記録手段。
【請求項２４】
下記の構成要件（Ｆ０１）〜（Ｆ０８）を備えたことを特徴とする画像処理装置、
（Ｆ０１）印刷対象となる元画像の画像データおよび前記元画像を印刷する用紙のサイズである元画像用紙サイズを記憶する元画像記憶手段、
（Ｆ０２）前記元画像を前記元画像用紙サイズよりも小さなサイズの印刷用紙に分割して印刷する際に使用する印刷パラメータの設定を行うための画面である分割印刷設定画面を表示する分割印刷設定画面表示手段、
（Ｆ０３）前記印刷用紙の枚数およびサイズを設定するための印刷用紙設定画像を前記分割印刷設定画面に表示する印刷用紙設定画像表示手段と、前記印刷用紙設定画像への入力により定まる印刷用紙のサイズおよび枚数を使用印刷用紙設定サイズおよび印刷用紙使用枚数設定値として記憶する印刷用紙設定値記憶手段とを有する印刷用紙設定手段、
（Ｆ０４）前記複数の印刷用紙を糊付けする糊代の幅を設定するための糊代設定画像を前記分割印刷設定画面に表示する糊代設定画像表示手段と、前記糊代設定画像への入力により定まる複数の各印刷用紙の糊代の幅を糊代幅設定値として記憶する糊代幅設定値記憶手段とを有する糊代設定手段、
（Ｆ０５）前記複数の印刷用紙を糊付けする際の前記複数の用紙を重ね合わせる順序を設定するための重合わせ順序設定画像を前記分割印刷設定画面に表示する重ね合わせ順序設定画像表示手段と、前記重合わせ順序設定画像への入力により定まる前記重合わせ順序を記憶する重合わせ順序記憶手段とを有する重合わせ順序設定手段、
（Ｆ０６）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段、
（Ｆ０７）前記元画像サイズに基づいて定まる印刷画像を記録するための印刷画像データを、前記各用紙の前記露出領域である画像記録領域毎に割り付ける印刷画像データ割り付け手段、
（Ｆ０８）前記各印刷用紙の前記各画像記録領域毎に割り付けられた印刷画像データを、前記各印刷用紙の各画像記録領域に印刷する画像記録手段。
【請求項２５】
下記の構成要件（Ｆ０１），（Ｆ０３′）〜（Ｆ０５′），（Ｆ０６）〜（Ｆ０９）を備えたことを特徴とする画像処理装置、
（Ｆ０１）印刷対象となる元画像の画像データおよび前記元画像を印刷する用紙のサイズである元画像用紙サイズを記憶する元画像記憶手段、
（Ｆ０３′）前記元画像用紙サイズよりも小さなサイズの印刷用紙に分割して印刷する際に使用可能な印刷用紙のサイズを記憶する使用可能用紙サイズ記憶手段と、前記使用可能用紙サイズおよび前記元画像用紙サイズに基づいて、使用される印刷用紙のサイズおよび枚数である前記使用印刷用紙設定サイズおよび印刷用紙使用枚数設定値を自動的に設定する印刷用紙自動設定手段と、前記自動設定された使用印刷用紙設定サイズおよび印刷用紙使用枚数設定値を記憶する印刷用紙自動設定値記憶手段とを有する印刷用紙設定手段、
（Ｆ０４′）前記使用印刷用紙設定サイズおよび印刷用紙使用枚数設定値と前記元画像用紙サイズとに基づいて、前記複数の印刷用紙の糊代幅を自動的に設定する糊代幅自動設定手段と、前記自動設定された糊代幅の設定値を記憶する糊代幅自動設定値記憶手段とを有する糊代設定手段、
（Ｆ０９）分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する綴じ位置指定記憶手段、
（Ｆ０５′）前記仕上がり用紙を形成する複数の印刷用紙を糊付けする際の前記複数の印刷用紙を重ね合わせる順序である重ね合わせ順序を、前記綴じ位置指定データに基づいて自動で設定する重ね合わせ順序自動設定手段を有する重ね合わせ順序設定手段、
（Ｆ０６）前記複数の印刷用紙を糊付けする際の各用紙の重合わせ順序と糊代幅とに応じて、前記複数の印刷用紙を糊付けして前記仕上がり用紙とした状態での前記各用紙の露出領域である画像記録領域を各用紙毎に演算して記憶する用紙毎の画像記録領域演算記憶手段、
（Ｆ０７）前記元画像サイズに基づいて定まる印刷画像を記録するための印刷画像データを、前記各用紙の前記露出領域である画像記録領域毎に割り付ける印刷画像データ割り付け手段、
（Ｆ０８）前記各印刷用紙の前記各画像記録領域毎に割り付けられた印刷画像データを、前記各印刷用紙の各画像記録領域に印刷する画像記録手段。
【発明の詳細な説明】
【０００１】
【産業上の利用分野】
本発明は、印刷対象となる画像データを印刷する印刷用紙のサイズや枚数、糊代幅等の印刷パラメータの設定を行う画像処理プログラム、印刷対象となる画像データと前記印刷パラメータとを含む印刷データを作成する画像処理プログラム、前記画像処理プログラムを記憶した記憶媒体、前記印刷パラメータを設定し前記印刷パラメータ及び画像データを含む印刷データを作成して送信する画像処理装置、前記印刷データを受信して印刷データの印刷パラメータに応じて画像の印刷を行う画像処理装置、前記印刷データを受信して印刷データの印刷パラメータに応じて画像の印刷を行う印刷装置の動作を制御する画像処理装置、前記印刷パラメータを設定し前記印刷パラメータに応じて画像の印刷を行う画像処理装置に関する。特に、印刷対象となる元画像の画像データよりも小さなサイズの印刷用紙に分割して印刷する際に使用される印刷パラメータの設定を行う画像処理プログラム、分割印刷時の印刷パラメータを含む印刷データを作成する画像処理プログラム、前記画像処理プログラムを記憶した記憶媒体、前記印刷パラメータに応じて画像を分割して印刷する画像処理装置、及び前記印刷パラメータに応じて分割印刷する印刷装置の印刷動作を制御する画像処理装置に関する。
【０００２】
【従来の技術】
従来、印刷対象となる元画像の画像データを元画像のサイズよりも小さなサイズの印刷用紙に印刷する際に、印刷用紙のサイズに対応する元画像の一部だけを印刷する場合と、元画像を印刷用紙のサイズに自動的に分割して複数の印刷用紙に印刷する場合とがある。また、前記複数の印刷用紙に分割して印刷する場合において、分割画像が印刷された複数の分割画像印刷用紙をユーザが貼り合わせて元画像にするために、分割印刷時に一定幅の糊代を確保して印刷することも行われている。
【０００３】
また、分割印刷とは関係ないが、複数の印刷用紙をホチキス等のステープラで綴じる際の綴じ代（糊代とは異なる）を設定する技術として下記の従来技術（Ｊ０１）が公知である。
（Ｊ０１）特許文献１（特開平１１−９９７２４号公報）記載の技術
特許文献１には、ユーザ等が設定した綴じ代（余白）の設定値に基づいて、綴じ代幅分狭い画像を記録する領域（画像記録領域）を自動計算し、前記画像記録領域内に画像が収まるように自動的に拡大、縮小して印刷する技術が記載されている。
【０００４】
【特許文献１】特開平１１−９９７２４号公報（段落番号「００９８」〜「０１０６」、図５、図６）
【０００５】
【発明が解決しようとする課題】
しかしながら、前記従来技術（Ｊ０１）では印刷用紙の画像記録領域を綴じ代に基づいて調節することができるが、分割印刷時には印刷用紙の重ね合わせ順序を考慮する必要があり、糊代の位置が印刷用紙毎に異なるので、前記従来技術（Ｊ０１）に基づいて糊代等の調節を行うことは困難である。また、画像記録領域に応じて画像を自動的に拡大・縮小すると、ユーザが指定した画像とは異なる画像が印刷される問題がある。
【０００６】
また、前記分割印刷を行う従来技術では、印刷された各用紙を糊代で貼り合わせて形成される仕上がり用紙のサイズは考慮されず、一定の糊代幅で印刷されていた。この結果、仕上がり用紙のサイズが元画像のサイズよりも大きな場合、画像が印刷されていない余白が残り、ユーザが余白部分を裁断等しなければならないという問題があった。
また、例えば、Ａ３の元画像をＡ４の印刷用紙２枚に分割して印刷する際に印刷用紙に糊代を形成した場合、仕上がり用紙のサイズが糊代幅分小さくなるので、糊代幅分の画像が印刷されなくなる。したがって、元画像全体を印刷するためにはユーザの設定等により元画像を縮小しなければならない。しかし、分割印刷では、通常、分割枚数に応じて元画像を等分割（２分割）して印刷するため、糊代が形成されて画像記録領域（貼り合わせ後に露出する領域）が狭くなる印刷用紙に合わせて元画像を縮小すると、糊代が形成されず画像記録領域が相対的に広い印刷用紙には、貼り合されない部分に余白が形成されてしまう問題がある。
【０００７】
さらに、両面印刷する際に分割印刷をすると、印刷用紙の表面側と裏面側では糊代の位置が異なるため、貼り合わせた仕上がり用紙における画像が表面側で連続していても、裏面側で連続せず糊代部分でずれてしまう場合があるという問題が生じていた。
図３７は、従来の分割印刷において、両面印刷する際の元画像の一例を示す説明図であり、図３７Ａは表面側の元画像の説明図、図３７Ｂは裏面側の元画像の説明図である。
図３８は、従来の分割印刷において、左右綴じの場合の両面印刷時の分割画像及び糊代の位置を示す説明図であり、図３８Ａは表面左側の分割画像及び糊代の説明図、図３８Ｂは表面右側の分割画像の説明図、図３８Ｃは裏面左側（表面右側の裏面）の分割画像及び糊代の説明図、図３８Ｄは裏面右側（表面左側の裏面）の分割画像の説明図である。
図３９は、従来の分割印刷において、上下綴じの場合の両面印刷時の分割画像及び糊代の位置を示す説明図であり、図３９Ａは表面左側の分割画像及び糊代の説明図、図３９Ｂは表面右側の分割画像の説明図、図３９Ｃは裏面左側（表面左側の裏面）の分割画像及び糊代の説明図、図３９Ｄは裏面右側（表面右側の裏面）の分割画像の説明図である。
図４０は、従来の分割印刷において、上下綴じの場合の両面印刷時の仕上がり用紙の説明図であり、図４０Ａは表面側の仕上がり用紙上の画像の説明図、図４０Ｂは裏面側の仕上がり用紙上の画像の説明図である。
【０００８】
前記図３７に示す元画像を両面・分割印刷で印刷する場合、左右綴じの場合、図３８Ｂ、図３８Ｄに示すように表面右側及び裏面右側に糊代を形成すると共に、表面左側（図３８Ａ）の裏面に裏面右側（図３８Ｄ）の分割画像を印刷し且つ表面右側（図３８Ｂ）の裏面に裏面左側（図３８Ｃ）の分割画像を印刷することによって、糊代で貼り合わせ後の仕上がり用紙では、表面及び裏面の画像が連続し且つ見開き方向（左右綴じでは左右方向）に見開いた時に元画像と同じ方向の画像が得られる。
これに対して、上下綴じの場合では、左右綴じの場合と同様に画像を形成すると、上下方向に見開いた時に裏面側の画像が上下逆になってしまう。これを防止するために、上下綴じの場合は図３９Ｃ、図３９Ｄに示すように元画像を１８０°回転させた後に分割画像を作成すると共に、左右綴じの場合と異なり、表面左側（図３９Ａ）の裏面に裏面左側（図３９Ｃ）の分割画像を印刷し且つ表面右側（図３９Ｂ）の裏面に裏面左側（図３９Ｄ）の分割画像を印刷しなければならない。このように印刷すると、上下綴じの場合、図４０に示すように、糊代で貼り合わせた後の仕上がり用紙では、表面側の画像が連続していても、裏面側の画像がずれてしまう（連続しない）という問題が発生してしまう。
【０００９】
本発明は、前述の事情に鑑み、分割印刷において、下記（Ｏ０１）〜（Ｏ０３）の記載内容を技術的課題とする。
（Ｏ０１）糊代で貼り合わせた後の仕上がり用紙において、余白を少なくすること。
（Ｏ０２）元画像を拡大又は縮小して分割印刷する際に、仕上がり用紙の余白を少なくすること。
（Ｏ０３）両面印刷時に、貼り合わせた後の仕上がり用紙において、表面及び裏面の両側の画像を連続して形成すること。
【００１０】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【００１１】
（本発明）
（第１発明）
前記課題を解決するために、第１発明の画像処理プログラムはコンピュータを下記の手段（Ａ０１）〜（Ａ０４）として機能させることを特徴とする、
（Ａ０１）印刷対象となる元画像（Ｇ）の画像データおよび前記元画像（Ｇ）を印刷する用紙のサイズである元画像用紙サイズを記憶する元画像記憶手段（Ｃ１）、
（Ａ０２）前記元画像（Ｇ）を前記元画像用紙サイズよりも小さなサイズの印刷用紙に分割して印刷する際に使用する印刷パラメータの設定を行うための画面である分割印刷設定画面（１）を表示する分割印刷設定画面表示手段（Ｃ２）、
（Ａ０３）前記印刷用紙の枚数およびサイズを設定するための印刷用紙設定画像（３）を前記分割印刷設定画面（１）に表示する印刷用紙設定画像表示手段（Ｃ３Ｂ）と、前記印刷用紙設定画像（３）への入力により定まる印刷用紙のサイズおよび枚数を使用印刷用紙設定サイズおよび印刷用紙使用枚数設定値として記憶する印刷用紙設定値記憶手段（Ｃ３Ｃ）とを有する印刷用紙設定手段（Ｃ３）、
（Ａ０４）前記複数の印刷用紙を糊付けする糊代の幅を設定するための糊代設定画像（４）を前記分割印刷設定画面（１）に表示する糊代設定画像表示手段（Ｃ４Ａ）と、前記糊代設定画像（４）への入力により定まる複数の各印刷用紙の糊代の幅を糊代幅設定値として記憶する糊代幅設定値記憶手段（Ｃ４Ｂ）とを有する糊代設定手段（Ｃ４）。
【００１２】
コンピュータを前記手段（Ａ０１）〜（Ａ０４）として機能させる第１発明の画像処理プログラムでは、元画像記憶手段（Ｃ１）は、印刷対象となる元画像（Ｇ）の画像データおよび前記元画像（Ｇ）を印刷する用紙のサイズである元画像用紙サイズを記憶する。分割印刷設定画面表示手段（Ｃ２）は、前記元画像（Ｇ）を前記元画像用紙サイズよりも小さなサイズの印刷用紙に分割して印刷する際に使用する印刷パラメータの設定を行うための画面である分割印刷設定画面（１）を表示する。前記分割印刷設定画面（１）には、印刷用紙設定画像表示手段（Ｃ３Ｂ）によって、前記印刷用紙の枚数およびサイズを設定するための印刷用紙設定画像（３）が表示される。そして、前記印刷用紙設定画像（３）への入力により定まる印刷用紙のサイズおよび枚数は、印刷用紙設定値記憶手段（Ｃ３Ｃ）によって使用印刷用紙設定サイズ（印刷パラメータ）および印刷用紙使用枚数設定値（印刷パラメータ）として記憶される。また、前記分割印刷設定画面（１）には、糊代設定画像表示手段（Ｃ４Ａ）によって、前記複数の印刷用紙を糊付けする糊代の幅を設定するための糊代設定画像（４）が表示される。前記糊代設定画像（４）への入力により定まる複数の各印刷用紙の糊代の幅は、糊代幅設定値記憶手段（Ｃ４Ｂ）によって糊代幅設定値（印刷パラメータ）として記憶される。
【００１３】
したがって、前記第１発明の画像処理プログラムによって、分割印刷時に使用される印刷用紙のサイズ及び枚数と糊代の幅とが、ユーザの入力やユーザの自動設定の指定等により設定できる。したがって、各印刷用紙のサイズ及び枚数に応じて糊代幅を調節することができ、糊代で貼り合わせた後の仕上がり用紙のサイズを調節することができる。この結果、元画像用紙サイズに仕上がり用紙のサイズを合わせることができ、画像が印刷された仕上がり用紙において余白（画像が印刷されない領域）を少なくする（または無くす）ことができる。また、前記糊代幅の調節に加え、元画像（Ｇ）を拡大又は縮小して元画像（Ｇ）のサイズ（元画像用紙サイズ）を調節可能した場合、仕上がり用紙のサイズに合わせて元画像用紙サイズを調節することによって、仕上がり用紙の余白を少なくすることができる。さらに、各印刷用紙毎に糊代幅が設定できるので、仕上がり用紙の両面に印刷する場合（両面・分割印刷する場合）、印刷用紙の重ね合わせ順序に基づいて各印刷用紙の表面及び裏面の糊代幅が設定される（糊代が設けられない、即ち糊代幅が０ｍｍに設定されることも含む）。したがって、仕上がり用紙において、表面及び裏面の両側の画像を連続して形成することができる。
【００１４】
また、前記第１発明の画像処理プログラムは、コンピュータを下記の手段（Ａ０３′）として機能させることも可能である。
（Ａ０３′）前記使用可能な印刷用紙のサイズを記憶する使用可能用紙サイズ記憶手段（Ｃ３Ａ）と、前記使用可能用紙サイズおよび前記元画像用紙サイズに基づいて、前記使用印刷用紙設定サイズおよび印刷用紙使用枚数設定値を自動的に設定する印刷用紙自動設定手段（Ｃ３Ｄ）と、前記自動設定された使用印刷用紙設定サイズおよび印刷用紙使用枚数設定値を記憶する印刷用紙自動設定値記憶手段（Ｃ３Ｅ）とを有する前記印刷用紙設定手段（Ｃ３）。
【００１５】
コンピュータを前記手段（Ａ０３′）として機能させる第１発明の画像処理プログラムでは、使用可能用紙サイズ記憶手段（Ｃ３Ａ）によって前記使用可能な印刷用紙のサイズが記憶され、印刷用紙自動設定手段（Ｃ３Ｄ）によって、前記使用可能用紙サイズおよび前記元画像用紙サイズに基づいて、前記使用印刷用紙設定サイズおよび印刷用紙使用枚数設定値が自動的に設定される。そして、印刷用紙自動設定値記憶手段（Ｃ３Ｅ）によって、前記自動設定された使用印刷用紙設定サイズおよび印刷用紙使用枚数設定値が記憶される。したがって、前記第１発明の画像処理プログラムによって、元画像用紙サイズに基づいて使用可能用紙サイズ及び印刷用紙使用枚数設定値を自動的に設定されるので、自動設定された使用印刷用紙設定サイズおよび分割数を参考にしながら設定することができる。したがって、使用印刷用紙設定サイズの選択や分割数の入力を最初からしなければならない場合と比較して、作業効率を高めることができる。
【００１６】
また、前記第１発明の画像処理プログラムは、コンピュータを下記の手段（Ａ０４′）として機能させることも可能である。
（Ａ０４′）前記使用印刷用紙設定サイズおよび印刷用紙使用枚数設定値と前記元画像用紙サイズとに基づいて、前記複数の印刷用紙の糊代幅を自動的に設定する糊代幅自動設定手段（Ｃ４Ｃ）と、前記自動設定された糊代幅の設定値を記憶する糊代幅自動設定値記憶手段（Ｃ４Ｄ）とを有する前記糊代設定手段（Ｃ４）。
【００１７】
コンピュータを前記手段（Ａ０４′）として機能させる第１発明の画像処理プログラムでは、糊代幅自動設定手段（Ｃ４Ｃ）によって、前記使用印刷用紙設定サイズおよび印刷用紙使用枚数設定値と前記元画像用紙サイズとに基づいて、前記複数の印刷用紙の糊代幅が自動的に設定される。そして、糊代幅自動設定値記憶手段（Ｃ４Ｄ）によって、前記自動設定された糊代幅の設定値が記憶される。したがって、使用印刷用紙設定サイズおよび印刷用紙使用枚数設定値と元画像用紙サイズとに基づいて、仕上がり用紙の余白が最小になるように糊代幅を自動的に設定することが可能となる。
【００１８】
また、前記第１発明の画像処理プログラムは、コンピュータを下記の手段（Ａ０５）として機能させることも可能である。
（Ａ０５）前記複数の印刷用紙の前記設定された糊代部分が重なった状態で形成される糊代重合用紙（仕上がり用紙）の画像である仕上がり用紙画像（６）を前記分割印刷設定画面（１）に表示する糊代重合用紙表示手段（Ｃ５）。
コンピュータを前記手段（Ａ０５）として機能させる第１発明の画像処理プログラムでは、糊代重合用紙表示手段（Ｃ５）によって、前記複数の印刷用紙の前記設定された糊代部分が重なった状態で形成される糊代重合用紙（仕上がり用紙）の画像である仕上がり用紙画像（６）が前記分割印刷設定画面（１）に表示される。したがって、前記分割印刷設定画面（１）に表示された仕上がり用紙画像（６）をユーザが確認しながら、使用印刷用紙設定サイズ、印刷用紙使用枚数設定値及び糊代幅設定値等の印刷パラメータを設定することができる。
【００１９】
また、前記第１発明の画像処理プログラムは、コンピュータを下記の手段（Ａ０６）として機能させることも可能である。
（Ａ０６）前記糊仕上がり用紙画像（６）に前記元画像（Ｇ）を重ねた画像である用紙元画像重合画像（７）を前記分割印刷設定画面（１）に表示する用紙・元画像重合画像表示手段（Ｃ６）。
コンピュータを前記手段（Ａ０６）として機能させる第１発明の画像処理プログラムでは、用紙・元画像重合画像表示手段（Ｃ６）によって、前記糊仕上がり用紙画像（６）に前記元画像（Ｇ）を重ねた画像である用紙元画像重合画像（７）が前記分割印刷設定画面（１）に表示される。したがって、前記分割印刷設定画面（１）に表示された用紙元画像重合画像（７）を確認しながら、前記各印刷パラメータの設定を行うことができる。
【００２０】
また、前記第１発明の画像処理プログラムは、コンピュータを下記の手段（Ａ０７）として機能させることも可能である。
（Ａ０７）前記元画像（Ｇ）のサイズに倍率ａ（ａ＞０）を乗算した倍率乗算画像（Ｇ′）を前記糊代重合用紙（仕上がり用紙）上に形成する際の前記倍率ａを設定するための倍率設定画像（８）を前記分割印刷設定画面（１）に表示するための倍率設定画像表示手段（Ｃ７Ａ）と、前記倍率設定画像（８）への入力により定まる前記倍率ａを倍率設定値として記憶する倍率設定値記憶手段（Ｃ７Ｂ）とを有する倍率設定手段（Ｃ７）。
【００２１】
コンピュータを前記手段（Ａ０７）として機能させる第１発明の画像処理プログラムでは、倍率設定手段（Ｃ７）の倍率設定画像表示手段（Ｃ７Ａ）によって、前記元画像（Ｇ）のサイズに倍率ａ（ａ＞０）を乗算した倍率乗算画像（Ｇ′）を前記糊代重合用紙（仕上がり用紙）上に形成する際の前記倍率ａを設定するための倍率設定画像（８）が前記分割印刷設定画面（１）に表示される。そして、倍率設定値記憶手段（Ｃ７Ｂ）によって、前記倍率設定画像（８）への入力により定まる前記倍率ａが倍率設定値として記憶される。したがって、元画像（Ｇ）を拡大又は縮小して仕上がり用紙に印刷することができる。この結果、元画像（Ｇ）の用紙サイズが仕上がり用紙のサイズよりも大きく仕上がり用紙に元画像（Ｇ）全てを印刷できない場合に、元画像（Ｇ）を縮小することによって元画像（Ｇ）全体を印刷することができる。また、元画像（Ｇ）の用紙サイズが仕上がり用紙のサイズよりも小さく仕上がり用紙に余白が形成される場合に、元画像（Ｇ）を拡大することによって余白を少なくする（又は無くす）こともできる。
【００２２】
また、コンピュータを前記手段（Ａ０７）として機能させる第１発明の画像処理プログラムは、コンピュータを下記の手段（Ａ０８）として機能させることも可能である。
（Ａ０８）前記元画像（Ｇ）のサイズに倍率ａを乗算した倍率乗算画像（Ｇ′）を前記糊代重合用紙（仕上がり用紙）上に形成する際の前記倍率ａを自動設定することを選択するための倍率自動設定選択画像（８ａ）を表示する倍率自動設定選択画像表示手段（Ｃ７Ｃ１）と、前記倍率自動設定選択画像（８ａ）が選択された時に元画像（Ｇ）の用紙サイズの縦長さをＧｔ、横長さをＧｙとし、仕上がり用紙サイズの縦長さをＳｔ、横長さをＳｙとした場合に、（Ｓｔ／Ｇｔ）＞（Ｓｙ／Ｇｙ）である時には前記倍率ａ＝（Ｓｙ／Ｇｙ）に設定し、（Ｓｙ／Ｇｙ）＞（Ｓｔ／Ｇｔ）である時には前記倍率ａ＝（Ｓｔ／Ｇｔ）に設定して記憶する倍率自動設定値記憶手段（Ｃ７Ｃ２）とを有する倍率自動設定手段（Ｃ７Ｃ）を備えた前記倍率設定手段（Ｃ７）。
【００２３】
コンピュータを前記手段（Ａ０８）として機能させる第１発明の画像処理プログラムでは、前記倍率設定手段（Ｃ７）の倍率自動設定選択画像表示手段（Ｃ７Ｃ１）によって、前記元画像（Ｇ）のサイズに倍率ａを乗算した倍率乗算画像（Ｇ′）を前記糊代重合用紙（仕上がり用紙）上に形成する際の前記倍率ａを自動設定することを選択するための倍率自動設定選択画像（８ａ）が表示される。前記倍率自動設定選択画像（８ａ）が選択された時に、倍率自動設定値記憶手段（Ｃ７Ｃ２）によって、元画像（Ｇ）の用紙サイズの縦長さをＧｔ、横長さをＧｙとし、仕上がり用紙サイズの縦長さをＳｔ、横長さをＳｙとした場合に、（Ｓｔ／Ｇｔ）＞（Ｓｙ／Ｇｙ）である時には前記倍率ａ＝（Ｓｙ／Ｇｙ）に設定され、（Ｓｙ／Ｇｙ）＞（Ｓｔ／Ｇｔ）である時には前記倍率ａ＝（Ｓｔ／Ｇｔ）に設定されて記憶される。したがって、仕上がり用紙に元画像（Ｇ）の全てが印刷され且つ、余白が最小になるように倍率ａを自動的に設定することができる。
【００２４】
また、コンピュータを前記手段（Ａ０７）として機能させる第１発明の画像処理プログラムは、コンピュータを下記の手段（Ａ０９）として機能させることも可能である。
（Ａ０９）設定された倍率ａを前記元画像サイズに乗算した倍率乗算画像（Ｇ′）を前記仕上がり用紙画像（６）に重ねた画像である用紙倍率乗算画像重合画像（７′）を前記分割印刷設定画面（１）に表示する用紙・倍率乗算画像重合画像表示手段（Ｃ８）。
前記手段（Ａ０９）として機能させる第１発明の画像処理プログラムでは、用紙・倍率乗算画像重合画像表示手段（Ｃ８）によって、設定された倍率ａを前記元画像サイズに乗算した倍率乗算画像（Ｇ′）を前記仕上がり用紙画像（６）に重ねた画像である用紙倍率乗算画像重合画像（７′）が前記分割印刷設定画面（１）に表示される。したがって、前記分割印刷設定画面（１）に表示される用紙倍率乗算画像重合画像（７′）を確認しながら前記倍率ａを設定することができる。
【００２５】
また、前記第１発明の画像処理プログラムは、コンピュータを下記の手段（Ａ０１０）として機能させることも可能である。
（Ａ０１０）前記仕上がり用紙を形成する複数の印刷用紙を糊付けする際の前記複数の用紙を重ね合わせる順序を設定するための重合わせ順序設定画像（９）を前記分割印刷設定画面（１）に表示する重ね合わせ順序設定画像表示手段（Ｃ１０Ａ）と、前記重合わせ順序設定画像（９）への入力により定まる前記重合わせ順序を記憶する重合わせ順序記憶手段（Ｃ１０Ｂ）とを有する重合わせ順序設定手段（Ｃ１０）。
コンピュータを前記手段（Ａ０１０）として機能させる第１発明の画像処理プログラムでは、重合わせ順序設定手段（Ｃ１０）の重ね合わせ順序設定画像表示手段（Ｃ１０Ａ）によって、前記仕上がり用紙を形成する複数の印刷用紙を糊付けする際の前記複数の用紙を重ね合わせる順序を設定するための重合わせ順序設定画像（９）が前記分割印刷設定画面（１）に表示される。重合わせ順序記憶手段（Ｃ１０Ｂ）によって、前記重合わせ順序設定画像（９）への入力により定まる前記重合わせ順序が記憶される。したがって、仕上がり用紙を形成する複数の印刷用紙を糊付けする際の前記複数の印刷用紙を重ね合わせる順序を、分割印刷設定画面（１）に表示される重合わせ順序設定画像（９）を確認しながら設定することができる。
【００２６】
また、コンピュータを前記手段（Ａ０１０）を備えた第１発明の画像処理プログラムは、コンピュータを下記の手段（Ａ０１１）として機能させることも可能である。
（Ａ０１１）前記重ね合わせ順序に基づいて前記各印刷用紙の糊代位置を自動的に設定する糊代位置自動設定手段（Ｃ１１Ａ）と、前記糊代位置自動設定手段（Ｃ１１Ａ）により設定された糊代位置を印刷用紙毎に記憶する糊代位置記憶手段（Ｃ１１Ｂ）とを有する糊代位置設定手段（Ｃ１１）。
前記手段（Ａ０１１）として機能させる第１発明の画像処理プログラムでは、糊代位置設定手段（Ｃ１１）の糊代位置自動設定手段（Ｃ１１Ａ）によって、前記重ね合わせ順序に基づいて前記各印刷用紙の糊代位置が自動的に設定される。糊代位置記憶手段（Ｃ１１Ｂ）によって、前記糊代位置自動設定手段（Ｃ１１Ａ）によって設定された糊代位置が印刷用紙毎に記憶される。したがって、前記各印刷用紙の重ね合わせ順序に基づいて自動的に糊代位置が設定されるので、糊代位置を設定する作業を省略することができ、作業効率を高めることができる。
【００２７】
また、前記手段（Ａ０１０）を備えた第１発明の画像処理プログラムは、コンピュータを下記の手段（Ａ０１２），（Ａ０１３）として機能させることも可能である。
（Ａ０１２）分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する綴じ位置指定記憶手段（Ｃ９）、
（Ａ０１３）前記仕上がり用紙を綴じる位置の指定に応じて、予め設定した前記仕上がり用紙を形成する複数の印刷用紙の前記重ね合わせ順序である重ね合わせ順序初期設定を記憶する重ね合わせ順序初期設定記憶手段（Ｃ１０Ｃ）を有する前記重ね合わせ順序設定手段（Ｃ１０）。
【００２８】
コンピュータを前記手段（Ａ０１２），（Ａ０１３）として機能させる第１発明の画像処理プログラムでは、綴じ位置指定記憶手段（Ｃ９）によって、分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データが記憶される。重ね合わせ順序初期設定記憶手段（Ｃ１０Ｃ）によって、前記仕上がり用紙を綴じる位置の指定に応じて、予め設定した前記仕上がり用紙を形成する複数の印刷用紙の前記重ね合わせ順序である重ね合わせ順序初期設定が記憶される。したがって、重ね合わせ順序をユーザが設定しなくても、重ね合わせ順序初期設定により印刷用紙の重ね合わせ順序を自動的に設定することができる。また、自動的に設定された重ね合わせ順序に基づいて糊代位置も自動的に設定することも可能である。
【００２９】
また、前記第１発明の画像処理プログラム（Ｐ１）は、コンピュータが読み取り可能な記憶媒体に記憶させることも可能である。前記記憶媒体をコンピュータに装着することによって、コンピュータから画像処理プログラム（Ｐ１）を読み出し、前記第１発明の画像処理プログラム（Ｐ１）の備える各手段としてコンピュータを機能させることができる。
【００３０】
（第２発明）
また、前記課題を解決するために第２発明の画像処理プログラムは、コンピュータを下記の手段（Ｂ０１）として機能させることを特徴とする、
（Ｂ０１）印刷対象となる元画像（Ｇ）の画像データと、元画像（Ｇ）を分割印刷することを指定する分割印刷指定データと、前記元画像（Ｇ）を印刷した時の印刷画像サイズの前記元画像サイズに対する倍率ａの設定値と、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む印刷データを作成する印刷データ作成手段（Ｃ２１）。
【００３１】
コンピュータを前記手段（Ｂ０１）として機能させる第２発明の画像処理プログラムでは、印刷データ作成手段（Ｃ２１）によって、印刷対象となる元画像（Ｇ）の画像データと、元画像（Ｇ）を分割印刷することを指定する分割印刷指定データと、前記元画像（Ｇ）を印刷した時の印刷画像サイズの前記元画像サイズに対する倍率ａの設定値と、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値とを含む印刷データが作成される。したがって、前記印刷データを受信または前記印刷データが記憶された記憶媒体から読み込んだプリンタ等の画像処理装置（Ｐｒ）において、前記倍率ａや使用印刷用紙サイズ設定値、使用印刷用紙枚数設定値、重ね合わせ順序設定値、糊代幅設定値等の印刷パラメータに基づいて元画像（Ｇ）を分割して印刷することができる。
【００３２】
また、前記印刷データを受信または記憶媒体から読み込んだ画像処理装置（ＰＳ）が前記印刷データから元画像（Ｇ）を分割する処理を行いプリンタ等の印刷装置（Ｐｒ）に印刷させることができる。そして、画像が印刷された仕上がり用紙において余白が少なくなるように前記糊代幅や倍率ａ等の印刷パラメータが設定された印刷データを受信した場合、仕上がり用紙において余白を少なくすることができる。また、全画像が印刷されるように前記糊代幅や倍率ａが設定された印刷データを受信した場合、全画像を仕上がり用紙に印刷することができる。また、表面及び裏面の両側の画像を連続して形成するように重ね合わせ順序や糊代幅等印刷パラメータが設定された印刷データを受信した場合、表面及び裏面の両側の画像が連続するように印刷できる。なお、前記倍率ａの設定値は拡大・縮小がされないａ＝１（＝１００％）の場合も含む。
【００３３】
また、前記第２発明の画像処理プログラムは、コンピュータを下記の手段（Ｂ０２）として機能させることも可能である。
（Ｂ０２）前記印刷データを画像処理装置（ＰＳ，Ｐｒ）に送信する印刷データ送信手段（Ｃ２２）。
コンピュータを前記手段（Ｂ０２）として機能させる第２発明の画像処理プログラムでは、印刷データ送信手段（Ｃ２２）によって、前記印刷データが画像処理装置（ＰＳ，Ｐｒ）に送信される。したがって、クライアントパソコン（ＰＣ）等で前記印刷パラメータ設定し、印刷データを作成して、プリンタ（Ｐｒ）やプリントサーバ（ＰＳ）等に印刷データを送信することができる。
【００３４】
また、前記第２発明の画像処理プログラムは、コンピュータを下記の手段（Ｂ０３）として機能させることも可能である。
（Ｂ０３）両面印刷を指定する両面印刷指定データを含む前記印刷データを作成する前記印刷データ作成手段（Ｃ２１）。
コンピュータを前記手段（Ｂ０３）として機能させる第２発明の画像処理プログラムでは、前記印刷データ作成手段（Ｃ２１）によって、両面印刷を指定する両面印刷指定データを含む前記印刷データが作成される。したがって、前記両面印刷指定データによって、片面印刷が指定されているのか両面印刷が指定されているのかを判別することができる。
【００３５】
また、前記第２発明の画像処理プログラムは、コンピュータを下記の手段（Ｂ０４）として機能させることも可能である。
（Ｂ０４）両面印刷を指定された場合で且つ分割用紙の裏面への画像記録時の印刷対象となる元画像（Ｇ）の画像データは有るが、元画像（Ｇ）を分割印刷することを指定する分割印刷指定データ、裏面への画像記録時の分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する裏面記録時設定値自動設定手段（Ｃ２３，Ｃ３５Ｃ）。
【００３６】
コンピュータを前記手段（Ｂ０４）として機能させる第２発明の画像処理プログラムでは、裏面記録時設定値自動設定手段（Ｃ２３，Ｃ３５Ｃ）によって、両面印刷を指定された場合で且つ分割用紙の裏面への画像記録時の印刷対象となる元画像（Ｇ）の画像データは有るが、裏面への画像記録時の各設定値が未設定の場合、即ち、元画像（Ｇ）を分割印刷することを指定する分割印刷指定データ、分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値が自動的に設定される。
したがって、使用印刷用紙サイズ設定値や使用印刷用紙枚数設定値、重ね合わせ順序、糊代幅等が、表面側と裏面側で矛盾すること（例えば、表面側の使用印刷用紙サイズがＡ４に設定されているのに、裏面側がＢ５に設定されること等）を防止できる。また、表面側の印刷パラメータの各設定値を設定しておけば、裏面側の各設定値が自動的に設定されるので、作業効率が高まる。
【００３７】
また、前記第２発明の画像処理プログラムは、コンピュータを下記の手段（Ｂ０５）として機能させることも可能である。
（Ｂ０５）分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを含む前記印刷データを作成する前記印刷データ作成手段（Ｃ２１）。
コンピュータを前記手段（Ｂ０５）として機能させる第２発明の画像処理プログラムでは、前記印刷データ作成手段（Ｃ２１）によって、分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを含む前記印刷データが作成される。したがって、前記綴じ位置に対応して、裏面側の画像を回転させる処理等を行うことができ、綴じられた仕上がり用紙束を見開いた時に、印刷された画像の上下を元画像（Ｇ）の上下に一致させることができる。
【００３８】
また、前記第２発明の画像処理プログラム（Ｐ２）は、コンピュータが読み取り可能な記憶媒体に記憶させることも可能である。前記記憶媒体をコンピュータに装着することによって、コンピュータから画像処理プログラム（Ｐ２）を読み出し、前記第２発明の画像処理プログラム（Ｐ２）の備える各手段としてコンピュータを機能させることができる。
【００３９】
（第３発明）
また、前記課題を解決するために第３発明の画像処理装置は、下記の構成要件（Ｃ０１）〜（Ｃ０４）を備えたことを特徴とする。
（Ｃ０１）印刷対象となる元画像（Ｇ）の画像データと、前記元画像（Ｇ）を印刷した時の印刷画像サイズの前記元画像サイズに対する倍率の設定値ａと、元画像（Ｇ）を分割印刷することを指定する分割印刷指定データと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む送信用印刷データを受信したときに受信印刷データとして記憶する受信印刷データ記憶手段（Ｃ３１）、
（Ｃ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段（Ｃ３５Ａ）、
（Ｃ０３）前記元画像サイズと前記倍率ａとに基づいて定まる印刷画像を記録するための印刷画像データを、前記各用紙の前記露出領域である画像記録領域毎に割り付ける印刷画像データ割り付け手段（Ｃ３５Ｂ）、
（Ｃ０４）前記各印刷用紙の前記各画像記録領域毎に割り付けられた印刷画像データを、前記各印刷用紙の各画像記録領域に印刷するように印刷装置（Ｐｒ）の動作を制御する印刷制御手段（Ｃ３６）。
【００４０】
前記構成要件（Ｃ０１）〜（Ｃ０４）を備えた第３発明の画像処理装置では、受信印刷データ記憶手段（Ｃ３１）は、印刷対象となる元画像（Ｇ）の画像データと、前記元画像（Ｇ）を印刷した時の印刷画像サイズの前記元画像サイズに対する倍率の設定値ａと、元画像（Ｇ）を分割印刷することを指定する分割印刷指定データと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む送信用印刷データを受信したときに受信印刷データとして記憶する。用紙毎の画像記録領域演算記憶手段（Ｃ３５Ａ）は、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する。
【００４１】
印刷画像データ割り付け手段（Ｃ３５Ｂ）は、前記元画像サイズと前記倍率ａとに基づいて定まる印刷画像を記録するための印刷画像データを、前記各用紙の前記露出領域である画像記録領域毎に割り付ける。印刷制御手段（Ｃ３６）は、前記各印刷用紙の前記各画像記録領域毎に割り付けられた印刷画像データを、前記各印刷用紙の各画像記録領域に印刷するように印刷装置（Ｐｒ）の動作を制御する。
したがって、第３発明の画像処理装置では、受信印刷データの前記倍率ａや使用印刷用紙サイズ設定値、使用印刷用紙枚数設定値、重ね合わせ順序設定値、糊代幅設定値等の印刷パラメータに基づいて、元画像（Ｇ）を分割し、各用紙の画像記録領域毎に割り付けた印刷画像データを印刷装置（Ｐｒ）に印刷させることができる。即ち、重ね合わせ順序や糊代幅等によって印刷用紙毎に広さ・位置が異なる画像記録領域に応じて、印刷画像データを割り付けて印刷できる。
【００４２】
そして、仕上がり用紙において余白が少なくなるように前記糊代幅や倍率ａ等の印刷パラメータが設定された送信用印刷データを受信した場合、仕上がり用紙において余白を少なくすることができる。また、全画像が印刷されるように前記糊代幅や倍率ａが設定された送信用印刷データを受信した場合、全画像を仕上がり用紙に印刷することができる。また、表面及び裏面の両側の画像を連続して形成するように重ね合わせ順序や糊代幅等印刷パラメータが設定された送信用印刷データを受信した場合、重ね合わせ順序に応じて表面及び裏面それぞれの画像記録領域が設定され、画像記録領域に応じて画像が割り付けられるため、両面の画像がそれぞれ連続するように印刷できる。
【００４３】
また、前記第３発明の画像処理装置は、下記の構成要件（Ｃ０５），（Ｃ０６）を備えることも可能である。
（Ｃ０５）両面印刷を指定する両面印刷指定データを含む前記受信印刷データを記憶する前記受信印刷データ記憶手段（Ｃ３１）、
（Ｃ０６）両面印刷を指定された場合で且つ分割用紙の裏面への画像記録時の印刷対象となる元画像（Ｇ）の画像データは有るが、元画像（Ｇ）を分割印刷することを指定する分割印刷指定データ、裏面への画像記録時の分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する裏面記録時設定値自動設定手段（Ｃ３５Ｃ）。
【００４４】
前記構成要件（Ｃ０５），（Ｃ０６）を備えた第３発明の画像処理装置では、前記受信印刷データ記憶手段（Ｃ３１）に記憶された受信印刷データは、両面印刷を指定する両面印刷指定データを含む。そして、裏面記録時設定値自動設定手段（Ｃ３５Ｃ）は、両面印刷を指定された場合で且つ分割用紙の裏面への画像記録時の印刷対象となる元画像（Ｇ）の画像データは有るが、裏面への画像記録時の各設定値が未設定の場合、即ち、元画像（Ｇ）を分割印刷することを指定する分割印刷指定データ、分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する。
したがって、表面側の印刷パラメータの各設定値を設定しておけば、裏面側の各設定値が自動的に設定されるので、作業効率が高まる。また、使用印刷用紙サイズ設定値や使用印刷用紙枚数設定値、重ね合わせ順序、糊代幅等が、表面側と裏面側で矛盾すること（例えば、表面側の使用印刷用紙サイズがＡ４に設定されているのに、裏面側がＢ５に設定されること等）を防止できる。
【００４５】
また、前記第３発明の画像処理装置は、下記の構成要件（Ｃ０７），（Ｃ０８）を備えることも可能である。
（Ｃ０７）分割印刷した画像印刷用紙を糊付けした後の複数の仕上がり用紙を綴じる位置が画像の左側で綴じる左綴じかまたは画像の上側で綴じる上綴じかを指定する綴じ位置指定データを含む前記受信印刷データを記憶する前記受信印刷データ記憶手段（Ｃ３１）、
（Ｃ０８）前記仕上がり用紙の綴じ位置が上綴じに指定された場合、分割用紙の裏面への画像記録時の印刷対象となる元画像（Ｇ）の画像データを１８０°回転させた回転画像と前記倍率ａとに基づいて定まる印刷画像を記録するための印刷画像データを、前記各用紙の前記露出領域である画像記録領域毎に割り付ける前記印刷画像データ割り付け手段（Ｃ３５Ｂ）。
【００４６】
前記構成要件（Ｃ０７），（Ｃ０８）を備えた第３発明の画像処理装置では、前記受信印刷データ記憶手段（Ｃ３１）に記憶された受信印刷データは、分割印刷した画像印刷用紙を糊付けした後の複数の仕上がり用紙を綴じる位置が画像の左側で綴じる左綴じかまたは画像の上側で綴じる上綴じかを指定する綴じ位置指定データを含む。そして、前記印刷画像データ割り付け手段（Ｃ３５Ｂ）は、前記仕上がり用紙の綴じ位置が上綴じに指定された場合、分割用紙の裏面への画像記録時の印刷対象となる元画像（Ｇ）の画像データを１８０°回転させた回転画像と前記倍率ａとに基づいて定まる印刷画像を記録するための印刷画像データを、前記各用紙の前記露出領域である画像記録領域毎に割り付ける。
したがって、上綴じに指定された場合、裏面の画像データを１８０°回転させるので、綴じられた仕上がり用紙束を見開いた時に、印刷された画像の上下と元画像（Ｇ）の上下とを一致させることができる。
【００４７】
（第４発明）
また、前記課題を解決するために第４発明の画像処理装置は、下記の構成要件（Ｄ０１）〜（Ｄ０６）を備えたことを特徴とする、
（Ｄ０１）印刷対象となる元画像（Ｇ）の画像データおよび前記元画像（Ｇ）を印刷する用紙のサイズである元画像用紙サイズを記憶する元画像記憶手段（Ｃ１）、
（Ｄ０２）前記元画像（Ｇ）を前記元画像用紙サイズよりも小さなサイズの印刷用紙に分割して印刷する際に使用する印刷パラメータの設定を行うための画面である分割印刷設定画面（１）を表示する分割印刷設定画面表示手段（Ｃ２）、
（Ｄ０３）前記印刷用紙の枚数およびサイズを設定するための印刷用紙設定画像（３）を前記分割印刷設定画面（１）に表示する印刷用紙設定画像表示手段（Ｃ３Ｂ）と、前記印刷用紙設定画像（３）への入力により定まる印刷用紙のサイズおよび枚数を使用印刷用紙設定サイズおよび印刷用紙使用枚数設定値として記憶する印刷用紙設定値記憶手段（Ｃ３Ｃ）とを有する印刷用紙設定手段（Ｃ３）、
（Ｄ０４）前記複数の印刷用紙を糊付けする糊代の幅を設定するための糊代設定画像（４）を前記分割印刷設定画面（１）に表示する糊代設定画像表示手段（Ｃ４Ａ）と、前記糊代設定画像（４）への入力により定まる複数の各印刷用紙の糊代の幅を糊代幅設定値として記憶する糊代幅設定値記憶手段（Ｃ４Ｂ）とを有する糊代設定手段（Ｃ４）、
（Ｄ０５）前記元画像（Ｇ）の画像データと、前記使用印刷用紙設定サイズおよび印刷用紙使用枚数設定値と、前記糊代幅設定値とを含む印刷データを作成する印刷データ作成手段（Ｃ２１）、
（Ｄ０６）前記印刷データを印刷装置（Ｐｒ）または画像処理装置に送信する印刷データ送信手段（Ｃ２２）。
【００４８】
前記構成要件（Ｄ０１）〜（Ｄ０６）を備えた第４発明の画像処理装置では、元画像記憶手段（Ｃ１）は、印刷対象となる元画像（Ｇ）の画像データおよび前記元画像（Ｇ）を印刷する用紙のサイズである元画像用紙サイズを記憶する。分割印刷設定画面表示手段（Ｃ２）は、前記元画像（Ｇ）を前記元画像用紙サイズよりも小さなサイズの印刷用紙に分割して印刷する際に使用する印刷パラメータの設定を行うための画面である分割印刷設定画面（１）を表示する。前記分割印刷設定画面（１）には、印刷用紙設定手段（Ｃ３）の印刷用紙設定画像表示手段（Ｃ３Ｂ）によって、前記印刷用紙の枚数およびサイズを設定するための印刷用紙設定画像（３）が表示される。前記印刷用紙設定画像（３）への入力により定まる印刷用紙のサイズおよび枚数が、印刷用紙設定値記憶手段（Ｃ３Ｃ）によって使用印刷用紙設定サイズおよび印刷用紙使用枚数設定値として記憶される。
【００４９】
また、前記分割印刷設定画面（１）には、糊代設定手段（Ｃ４）の糊代設定画像表示手段（Ｃ４Ａ）によって、前記複数の印刷用紙を糊付けする糊代の幅を設定するための糊代設定画像（４）が表示される。そして、糊代幅設定値記憶手段（Ｃ４Ｂ）は、前記糊代設定画像（４）への入力により定まる複数の各印刷用紙の糊代の幅を糊代幅設定値として記憶する。印刷データ作成手段（Ｃ２１）は、前記元画像（Ｇ）の画像データと、前記使用印刷用紙設定サイズおよび印刷用紙使用枚数設定値と、前記糊代幅設定値とを含む印刷データを作成する。印刷データ送信手段（Ｃ２２）は、前記印刷データを印刷装置（Ｐｒ）または画像処理装置に送信する。
したがって、前記分割印刷設定画面（１）に表示された印刷用紙設定画像（３）及び糊代設定画像（４）を確認しながら、使用印刷用紙設定サイズおよび印刷用紙使用枚数設定値、糊代幅設定値を設定することができる。したがって、各印刷用紙のサイズ及び枚数に応じて糊代幅を調節することができ、糊代で貼り合わせた後の仕上がり用紙のサイズを調節することができる。
【００５０】
この結果、元画像用紙サイズに仕上がり用紙のサイズを合わせることができ、前記調節・設定された印刷パラメータ及び元画像（Ｇ）の画像データを含む印刷データを受信した画像処理装置（ＰＳ，Ｐｒ）等において分割して印刷され、前記分割印刷された印刷用紙を貼り合わせて形成される仕上がり用紙において余白（画像が印刷されない領域）を少なくする（または無くす）ことができる。また、前記糊代幅の調節に加え、元画像（Ｇ）を拡大又は縮小して元画像（Ｇ）のサイズ（元画像用紙サイズ）を調節可能した場合、仕上がり用紙のサイズに合わせて元画像用紙サイズを調節することによって、仕上がり用紙の余白を少なくすることができる。さらに、印刷用紙毎に糊代幅が設定できるので、仕上がり用紙の両面に印刷する場合（両面・分割印刷する場合）、表面及び裏面の糊代幅を調節することにより（糊代を設けない、即ち糊代幅を０ｍｍに設定することも含む）、仕上がり用紙において、表面及び裏面の両側の画像を連続して形成することができる。
【００５１】
（第５発明）
また、前記課題を解決するために第５発明の画像処理装置は、下記の構成要件（Ｅ０１）〜（Ｅ０４）を備えたことを特徴とする、
（Ｅ０１）印刷対象となる元画像（Ｇ）の画像データと、前記元画像（Ｇ）を印刷した時の印刷画像サイズの前記元画像サイズに対する倍率の設定値ａと、元画像（Ｇ）を分割印刷することを指定する分割印刷指定データと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、を含む送信用印刷データを受信したときに受信印刷データとして記憶する受信印刷データ記憶手段（Ｃ３１）、
（Ｅ０２）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段（Ｃ３５Ａ）、
（Ｅ０３）前記元画像サイズと前記倍率ａとに基づいて定まる印刷画像を記録するための印刷画像データを、前記各用紙の前記露出領域である画像記録領域毎に割り付ける印刷画像データ割り付け手段（Ｃ３５Ｂ）、
（Ｅ０４）前記各印刷用紙の前記各画像記録領域毎に割り付けられた印刷画像データを、前記各印刷用紙の各画像記録領域に印刷する画像記録手段（Ｃ４１）。
【００５２】
前記構成要件（Ｅ０１）〜（Ｅ０４）を備えた第５発明の画像処理装置では、用紙毎の画像記録領域演算記憶手段（Ｃ３５Ａ）は、受信印刷データ記憶手段（Ｃ３１）に記憶された受信印刷データから、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する。印刷画像データ割り付け手段（Ｃ３５Ｂ）は、前記元画像サイズと前記倍率ａとに基づいて定まる印刷画像を記録するための印刷画像データを、前記各用紙の前記露出領域である画像記録領域毎に割り付ける。そして、前記各印刷用紙の前記各画像記録領域毎に割り付けられた印刷画像データは、画像記録手段（Ｃ４１）によって各印刷用紙に印刷される。
【００５３】
したがって、第５発明の画像処理装置では、受信印刷データの前記倍率ａや使用印刷用紙サイズ設定値、使用印刷用紙枚数設定値、重ね合わせ順序設定値、糊代幅設定値等の印刷パラメータに基づいて、元画像（Ｇ）を分割し、各用紙の画像記録領域毎に割り付けた印刷画像データを印刷することができる。即ち、重ね合わせ順序や糊代幅等に応じて印刷用紙毎に広さ・位置が異なる画像記録領域に応じて、元画像（Ｇ）を分割して印刷する。
そして、仕上がり用紙において余白が少なくなるように前記糊代幅や倍率ａ等の印刷パラメータが設定された送信用印刷データを受信した場合、仕上がり用紙において余白を少なくすることができる。また、全画像が印刷されるように前記糊代幅や倍率ａが設定された送信用印刷データを受信した場合、全画像を仕上がり用紙に印刷することができる。また、表面及び裏面の両側の画像を連続して形成するように重ね合わせ順序や糊代幅等印刷パラメータが設定された送信用印刷データを受信した場合、重ね合わせ順序や糊代の位置に応じて表面及び裏面それぞれの画像記録領域が設定され、画像記録領域に応じて画像が割り付けられるため、両面の画像がそれぞれ連続するように印刷できる。
【００５４】
（第６発明）
また、前記課題を解決するために第６発明の画像処理装置は、下記の構成要件（Ｆ０１）〜（Ｆ０８）を備えたことを特徴とする、
（Ｆ０１）印刷対象となる元画像（Ｇ）の画像データおよび前記元画像（Ｇ）を印刷する用紙のサイズである元画像用紙サイズを記憶する元画像記憶手段（Ｃ１）、
（Ｆ０２）前記元画像（Ｇ）を前記元画像用紙サイズよりも小さなサイズの印刷用紙に分割して印刷する際に使用する印刷パラメータの設定を行うための画面である分割印刷設定画面（１）を表示する分割印刷設定画面表示手段（Ｃ２）、
（Ｆ０３）前記印刷用紙の枚数およびサイズを設定するための印刷用紙設定画像（３）を前記分割印刷設定画面（１）に表示する印刷用紙設定画像表示手段（Ｃ３Ｂ）と、前記印刷用紙設定画像（３）への入力により定まる印刷用紙のサイズおよび枚数を使用印刷用紙設定サイズおよび印刷用紙使用枚数設定値として記憶する印刷用紙設定値記憶手段（Ｃ３Ｃ）とを有する印刷用紙設定手段（Ｃ３）、
（Ｆ０４）前記複数の印刷用紙を糊付けする糊代の幅を設定するための糊代設定画像（４）を前記分割印刷設定画面（１）に表示する糊代設定画像表示手段（Ｃ４Ａ）と、前記糊代設定画像（４）への入力により定まる複数の各印刷用紙の糊代の幅を糊代幅設定値として記憶する糊代幅設定値記憶手段（Ｃ４Ｂ）とを有する糊代設定手段（Ｃ４）、
（Ｆ０５）前記複数の印刷用紙を糊付けする際の前記複数の用紙を重ね合わせる順序を設定するための重合わせ順序設定画像（９）を前記分割印刷設定画面（１）に表示する重ね合わせ順序設定画像表示手段（Ｃ１０Ａ）と、前記重合わせ順序設定画像（９）への入力により定まる前記重合わせ順序を記憶する重合わせ順序記憶手段（Ｃ１０Ｂ）とを有する重合わせ順序設定手段（Ｃ１０）、
（Ｆ０６）前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する用紙毎の画像記録領域演算記憶手段（Ｃ３５Ａ）、
（Ｆ０７）前記元画像サイズに基づいて定まる印刷画像を記録するための印刷画像データを、前記各用紙の前記露出領域である画像記録領域毎に割り付ける印刷画像データ割り付け手段（Ｃ３５Ｂ）、
（Ｆ０８）前記各印刷用紙の前記各画像記録領域毎に割り付けられた印刷画像データを、前記各印刷用紙の各画像記録領域に印刷する画像記録手段（Ｃ４１）。
【００５５】
前記構成要件（Ｆ０１）〜（Ｆ０８）を備えた第６発明の画像処理装置では、元画像記憶手段（Ｃ１）は、印刷対象となる元画像（Ｇ）の画像データおよび前記元画像（Ｇ）を印刷する用紙のサイズである元画像用紙サイズを記憶する。分割印刷設定画面表示手段（Ｃ２）は、前記元画像（Ｇ）を前記元画像用紙サイズよりも小さなサイズの印刷用紙に分割して印刷する際に使用する印刷パラメータの設定を行うための画面である分割印刷設定画面（１）を表示する。印刷用紙設定手段（Ｃ３）の印刷用紙設定画像表示手段（Ｃ３Ｂ）は、前記印刷用紙の枚数およびサイズを設定するための印刷用紙設定画像（３）を前記分割印刷設定画面（１）に表示する。そして、前記印刷用紙設定画像（３）への入力により定まる印刷用紙のサイズおよび枚数が使用印刷用紙設定サイズおよび印刷用紙使用枚数設定値として印刷用紙設定値記憶手段（Ｃ３Ｃ）によって記憶される。糊代設定手段（Ｃ４）の糊代設定画像表示手段（Ｃ４Ａ）は、前記複数の印刷用紙を糊付けする糊代の幅を設定するための糊代設定画像（４）を前記分割印刷設定画面（１）に表示する。そして、前記糊代設定画像（４）への入力により定まる複数の各印刷用紙の糊代の幅が糊代幅設定値として糊代幅設定値記憶手段（Ｃ４Ｂ）によって記憶される。
【００５６】
重合わせ順序設定手段（Ｃ１０）の重ね合わせ順序設定画像表示手段（Ｃ１０Ａ）によって、前記複数の印刷用紙を糊付けする際の前記複数の用紙を重ね合わせる順序を設定するための重合わせ順序設定画像（９）が前記分割印刷設定画面（１）に表示される。そして、前記重合わせ順序設定画像（９）への入力により定まる前記重合わせ順序が重合わせ順序記憶手段（Ｃ１０Ｂ）によって記憶される。
用紙毎の画像記録領域演算記憶手段（Ｃ３５Ａ）は、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を各用紙毎に演算して記憶する。印刷画像データ割り付け手段（Ｃ３５Ｂ）は、前記元画像サイズに基づいて定まる印刷画像を記録するための印刷画像データを、前記各用紙の前記露出領域である画像記録領域毎に割り付ける。前記各印刷用紙の前記各画像記録領域毎に割り付けられた印刷画像データは、画像記録手段（Ｃ４１）によって前記各印刷用紙の各画像記録領域に印刷される。
【００５７】
したがって、第６発明の画像処理装置では、前記分割印刷設定画面（１）に表示された印刷用紙設定画像（３）及び糊代設定画像（４）を確認しながら、使用印刷用紙設定サイズおよび印刷用紙使用枚数設定値、糊代幅設定値、重ね合わせ順序設定値等の印刷パラメータを設定することができる。したがって、設定した印刷パラメータに応じて元画像（Ｇ）を分割し、各用紙の画像記録領域毎に割り付けた印刷画像データを印刷することができる。即ち、印刷用紙毎に画像記録領域を設定することができ、重ね合わせ順序や糊代幅等によって、糊代で貼り合わせた後の仕上がり用紙のサイズを調節したり、画像記録領域を印刷用紙毎に異なるよう設定したりすることができる。
【００５８】
この結果、元画像用紙サイズに仕上がり用紙のサイズを合わせることができ、分割印刷された印刷用紙を貼り合わせて形成される仕上がり用紙において余白（画像が印刷されない領域）を少なくする（または無くす）ことができる。また、前記糊代幅の調節に加え、元画像（Ｇ）を拡大又は縮小して元画像（Ｇ）のサイズ（元画像用紙サイズ）を調節可能した場合、仕上がり用紙のサイズに合わせて元画像用紙サイズを調節することによって、仕上がり用紙の余白を少なくすることができる。さらに、各印刷用紙毎に糊代幅が設定できるので、仕上がり用紙の両面に印刷する場合（両面・分割印刷する場合）、各用紙の重ね合わせ順序に基づいて表面及び裏面のそれぞれの糊代幅が設定される（糊代が設けられない、即ち糊代幅が０ｍｍに設定されることも含む）。したがって、仕上がり用紙において、表面及び裏面の両側の画像を連続して形成することができる。
【００５９】
また、前記課題を解決するために第７発明の画像処理装置は、下記の構成要件（Ｆ０１），（Ｆ０３′）〜（Ｆ０５′），（Ｆ０６）〜（Ｆ０９）を備えたことを特徴とする、
（Ｆ０１）印刷対象となる元画像（Ｇ）の画像データおよび前記元画像（Ｇ）を印刷する用紙のサイズである元画像用紙サイズを記憶する元画像記憶手段（Ｃ１）、
（Ｆ０３′）前記元画像用紙サイズよりも小さなサイズの印刷用紙に分割して印刷する際に使用可能な印刷用紙のサイズを記憶する使用可能用紙サイズ記憶手段（Ｃ３Ａ）と、前記使用可能用紙サイズおよび前記元画像用紙サイズに基づいて、使用される印刷用紙のサイズおよび枚数である前記使用印刷用紙設定サイズおよび印刷用紙使用枚数設定値を自動的に設定する印刷用紙自動設定手段（Ｃ３Ｄ）と、前記自動設定された使用印刷用紙設定サイズおよび印刷用紙使用枚数設定値を記憶する印刷用紙自動設定値記憶手段（Ｃ３Ｅ）とを有する印刷用紙設定手段（Ｃ３）、
（Ｆ０４′）前記使用印刷用紙設定サイズおよび印刷用紙使用枚数設定値と前記元画像用紙サイズとに基づいて、前記複数の印刷用紙の糊代幅を自動的に設定する糊代幅自動設定手段（Ｃ４Ｃ）と、前記自動設定された糊代幅の設定値を記憶する糊代幅自動設定値記憶手段（Ｃ４Ｄ）とを有する糊代設定手段（Ｃ４）、
（Ｆ０９）分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する綴じ位置指定記憶手段（Ｃ９）、
（Ｆ０５′）前記仕上がり用紙を形成する複数の印刷用紙を糊付けする際の前記複数の印刷用紙を重ね合わせる順序である重ね合わせ順序を、前記綴じ位置指定データに基づいて自動で設定する重ね合わせ順序自動設定手段を有する重ね合わせ順序設定手段（Ｃ１０）、
（Ｆ０６）前記複数の印刷用紙を糊付けする際の各用紙の重合わせ順序と糊代幅とに応じて、前記複数の印刷用紙を糊付けして前記仕上がり用紙とした状態での前記各用紙の露出領域である画像記録領域を各用紙毎に演算して記憶する用紙毎の画像記録領域演算記憶手段（Ｃ３５Ａ）、
（Ｆ０７）前記元画像サイズに基づいて定まる印刷画像を記録するための印刷画像データを、前記各用紙の前記露出領域である画像記録領域毎に割り付ける印刷画像データ割り付け手段（Ｃ３５Ｂ）、
（Ｆ０８）前記各印刷用紙の前記各画像記録領域毎に割り付けられた印刷画像データを、前記各印刷用紙の各画像記録領域に印刷する画像記録手段（Ｃ４１）。
【００６０】
前記構成要件（Ｆ０１），（Ｆ０３′）〜（Ｆ０５′），（Ｆ０６）〜（Ｆ０９）を備えた第７発明の画像処理装置では、元画像記憶手段（Ｃ１）は、印刷対象となる元画像（Ｇ）の画像データおよび前記元画像（Ｇ）を印刷する用紙のサイズである元画像用紙サイズを記憶する。前記元画像用紙サイズよりも小さなサイズの印刷用紙に分割して印刷する際に、使用可能用紙サイズ記憶手段（Ｃ３Ａ）に記憶された使用可能用紙サイズおよび前記元画像用紙サイズに基づいて、使用される印刷用紙のサイズおよび枚数である前記使用印刷用紙設定サイズおよび印刷用紙使用枚数設定値が、印刷用紙自動設定手段（Ｃ３Ｄ）によって自動的に設定される。印刷用紙設定手段（Ｃ３）の印刷用紙自動設定値記憶手段（Ｃ３Ｅ）によって、前記自動設定された使用印刷用紙設定サイズおよび印刷用紙使用枚数設定値が記憶される。また、前記使用印刷用紙設定サイズおよび印刷用紙使用枚数設定値と前記元画像用紙サイズとに基づいて、糊代設定手段（Ｃ４）の糊代幅自動設定手段（Ｃ４Ｃ）によって、前記複数の印刷用紙の糊代幅が自動的に設定される。そして、糊代幅自動設定値記憶手段（Ｃ４Ｄ）によって前記自動設定された糊代幅の設定値が記憶される。
【００６１】
綴じ位置指定記憶手段（Ｃ９）は、分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する。重ね合わせ順序設定手段（Ｃ１０）の重ね合わせ順序自動設定手段は、前記仕上がり用紙を形成する複数の印刷用紙を糊付けする際の前記複数の印刷用紙を重ね合わせる順序である重ね合わせ順序を、前記綴じ位置指定データに基づいて自動で設定する。前記複数の印刷用紙を糊付けする際の各用紙の重合わせ順序と糊代幅とに応じて、前記複数の印刷用紙を糊付けして前記仕上がり用紙とした状態での前記各用紙の露出領域である画像記録領域は、用紙毎の画像記録領域演算記憶手段（Ｃ３５Ａ）によって各用紙毎に演算されて記憶される。印刷画像データ割り付け手段（Ｃ３５Ｂ）は、前記元画像サイズに基づいて定まる印刷画像を記録するための印刷画像データを、前記各用紙の前記露出領域である画像記録領域毎に割り付ける。前記各印刷用紙の前記各画像記録領域毎に割り付けられた印刷画像データは、画像記録手段（Ｃ４１）によって前記各印刷用紙の各画像記録領域に印刷される。
【００６２】
したがって、第７発明の画像処理装置では、使用印刷用紙設定サイズおよび印刷用紙使用枚数設定値、糊代幅設定値、重ね合わせ順序設定値等の印刷パラメータが、使用可能用紙サイズ及び元画像用紙サイズ、綴じ位置指定データに基づいて自動的に設定される。この結果、元画像用紙サイズに仕上がり用紙のサイズを自動的に合わせることができ、分割印刷された印刷用紙を貼り合わせて形成される仕上がり用紙において余白（画像が印刷されない領域）が最小になるように自動的に設定することができる。また、前記糊代幅の自動調節に加え、元画像（Ｇ）を拡大又は縮小して元画像（Ｇ）のサイズ（元画像用紙サイズ）を自動調節可能した場合、仕上がり用紙のサイズに合わせて元画像用紙サイズを自動調節することによって、仕上がり用紙の余白を自動的に最小にすることもできる。さらに、印刷用紙毎に糊代幅が自動設定されるので、仕上がり用紙の両面に印刷する場合（両面・分割印刷する場合）、表面及び裏面の糊代幅が自動調節され、自動調節された糊代幅に応じて表面及び裏面それぞれの画像記録領域が印刷用紙毎に設定される。したがって、糊代幅や糊代位置に応じて設定された画像記録領域に画像が分割して割り付けられるので、仕上がり用紙において表面及び裏面の両側の画像が連続して形成される。また、各印刷パラメータの設定が自動的に行われるので、作業効率が高まる。
【００６３】
【発明の実施の形態】
（実施の形態）
次に図面を参照しながら、本発明の実施の形態を説明するが、本発明は以下の実施の形態に限定されるものではない。
（実施の形態１）
図１は本発明の印刷処理システムの実施の形態１の説明図である。
図１において、印刷処理システムＳのプリンタサーバ（画像処理装置）ＰＳには、ケーブルを介してプリンタ（印刷装置、画像処理装置）Ｐｒが接続されている。また、前記プリンタサーバＰＳはローカルネットワークＬＮに接続されており、前記ローカルネットワークＬＮには複数のクライアントパソコン（画像処理装置）ＰＣ、ワークステーションＷＳ、データベースサーバＤＢＳ等が接続されている。
【００６４】
前記クライアントパソコンＰＣ、データベースサーバＤＢＳ等は、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
また、前記プリンタサーバＰＳも、前記クライアントパソコンＰＣ等と同様に、コンピュータ本体Ｄ１、ディスプレイＤ２、キーボードＤ３やマウスＤ４の入力装置、ハードディスクドライブ（図示せず）等により構成されている。
【００６５】
（クライアントパソコンＰＣの機能）
図２は前記図１に示す印刷処理システムのクライアントパソコンの機能をブロック図（機能ブロック図）で示した図である。
図２において、クライアントパソコンＰＣのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のクライアントパソコンＰＣは、前記ハードディスクやＲＯＭ等に記憶されたプログラムを実行することにより種々の機能を実現することができる。
【００６６】
前記クライアントパソコンＰＣの前記ハードディスクドライブには、ワープロソフトや画像処理ソフト等のアプリケーションプログラムＡＰと、分割印刷時の印刷用紙のサイズや糊代幅等の印刷パラメータを設定するための印刷形式設定プログラム（画像処理プログラム）Ｐ１と、前記印刷形式設定プログラムＰ１で設定された印刷パラメータを含む送信用印刷データを作成しプリンタサーバＰＳに送信するための印刷データ作成プログラム（画像処理プログラム）Ｐ２とが記憶されている。前記印刷形式設定プログラムＰ１及び印刷データ作成プログラムＰ２は、次の各機能実現手段（プログラムモジュール）を有している。
【００６７】
図３は本発明の画像処理プログラムとしての印刷形式設定プログラムの機能実現手段によってクライアントパソコン又はプリンタサーバのディスプレイに表示される分割印刷設定画面（片面印刷指定時）の説明図である。
図４はクライアントパソコンに組み込まれているアプリケーションプログラムの印刷開始入力画面の説明図である。
（印刷形式設定プログラムＰ１の機能）
Ｃ１：元画像記憶手段
元画像記憶手段Ｃ１は、前記アプリケーションプログラムＡＰで作成され印刷指示された印刷対象となる元画像の画像データおよび前記元画像を印刷する用紙のサイズである元画像用紙サイズを記憶する。
Ｃ２：分割印刷設定画面表示手段
分割印刷設定画面表示手段Ｃ２は、前記元画像Ｇを前記元画像用紙サイズよりも小さなサイズの印刷用紙に分割して印刷する際に使用する印刷パラメータの設定を行うための画面である分割印刷設定画面１（図３参照）を表示する。前記分割印刷設定画面１は、前記アプリケーションプログラムＡＰで印刷開始を選択した際に表示される印刷開始入力画面（印刷範囲や印刷部数、片面・両面印刷の指定、綴じ位置の指定等を行う画面、図４参照）において、分割印刷の設定を選択した場合に表示される。前記分割印刷設定画面１には、元画像Ｇや、前記元画像用紙サイズ（画像サイズ）を表示する元画像用紙サイズ表示画像２ａ、元画像用紙サイズ枠線表示画像２ｂ、後述の印刷用紙設定画像３等が表示される。
【００６８】
Ｃ３：印刷用紙設定手段
印刷用紙設定手段Ｃ３は、使用可能用紙サイズ記憶手段Ｃ３Ａと、印刷用紙設定画像表示手段Ｃ３Ｂと、印刷用紙設定値記憶手段Ｃ３Ｃと、印刷用紙自動設定手段Ｃ３Ｄと、印刷用紙自動設定値記憶手段Ｃ３Ｅとを有し、分割印刷時に使用する印刷用紙の用紙サイズや使用する印刷用紙の枚数を設定し、記憶する。
Ｃ３Ａ：使用可能用紙サイズ記憶手段
使用可能用紙サイズ記憶手段Ｃ３Ａは、前記プリンタＰｒで使用可能な印刷用紙のサイズを記憶する。前記プリンタＰｒで使用可能な印刷用紙のサイズは、プリンタサーバＰＳから使用可能用紙サイズの情報をローカルネットワークＬＮ経由で入手して記憶している。なお、使用可能な印刷用紙のサイズをユーザが入力装置（キーボードＨ３又はマウスＨ４）で入力・設定した値を記憶するよう構成することも可能である。
【００６９】
Ｃ３Ｂ：印刷用紙設定画像表示手段
印刷用紙設定画像表示手段Ｃ３Ｂは、前記印刷用紙の枚数およびサイズを設定するための印刷用紙設定画像３を前記分割印刷設定画面１に表示する。前記印刷用紙設定画像３は、印刷用紙サイズ設定用の印刷用紙サイズ設定画像３ａと、印刷用紙使用枚数（分割数）設定用の印刷用紙使用枚数設定画像３ｂとを有している。そして、前記印刷用紙サイズ設定画像３ａには、設定可能な印刷用紙サイズとして前記使用可能用紙サイズ記憶手段Ｃ３Ａで記憶された使用可能用紙サイズが表示されており、マウスＨ４等の操作により分割印刷設定画面１上を移動可能なポインタで印刷用紙サイズ設定画像３ａのいずれかの用紙サイズを選択することによって印刷用紙サイズを変更・設定可能に構成されている。前記印刷用紙使用枚数設定画像３ｂにおいて、ユーザはキーボードＨ３によって印刷用紙の枚数（分割数）を直接入力するよう構成されている。なお、前記印刷用紙サイズ設定画像３ａ及び印刷用紙使用枚数設定画像３ｂは、スピンコントロールボタン、ラジオボタン等により用紙サイズや分割数を選択して入力するよう構成することも可能である。また、本実施の形態では、プリンタＰｒにはＡ４，Ｂ４，Ａ３の用紙がセットされており、使用可能な用紙サイズとしてＡ４，Ｂ４，Ａ３が設定されている。
【００７０】
Ｃ３Ｃ：印刷用紙設定値記憶手段
印刷用紙設定値記憶手段Ｃ３Ｃは、ユーザの入力装置（キーボードＨ３、マウスＨ４）による前記印刷用紙設定画像３の印刷用紙サイズ設定画像３ａへの入力により定まる印刷用紙のサイズを使用印刷用紙設定サイズ（使用印刷用紙設定サイズ設定値）として記憶し、前記印刷用紙使用枚数設定画像３ｂへの入力により定まる印刷用紙の枚数（分割数）を印刷用紙使用枚数設定値として記憶する。
Ｃ３Ｄ：印刷用紙自動設定手段
印刷用紙自動設定手段Ｃ３Ｄは、前記元画像用紙サイズよりも小さなサイズの印刷用紙に分割して印刷する際に、前記使用可能用紙サイズおよび前記元画像用紙サイズに基づいて、使用される印刷用紙のサイズおよび枚数である前記使用印刷用紙設定サイズおよび印刷用紙使用枚数設定値を自動的に設定する。本実施の形態では、分割印刷設定画面１を表示する前に、印刷用紙サイズ及び枚数の自動設定を行うか否かをユーザに選択させる自動設定選択画面（図示せず）が表示される。そして、自動設定を行うようユーザが選択した場合に、前記印刷用紙自動設定手段Ｃ３Ｄによって、印刷用紙サイズ及び枚数の自動設定が行われる。なお、前記自動設定を行わない場合、前記印刷用紙自動設定手段Ｃ３Ｄは省略することができる。また、必ず自動設定を行う場合、前記自動設定選択画面の表示やユーザの選択は省略することができる。
【００７１】
Ｃ３Ｅ：印刷用紙自動設定値記憶手段
印刷用紙自動設定値記憶手段Ｃ３Ｅは、印刷用紙自動設定手段Ｃ３Ｄによって、前記自動設定された使用印刷用紙設定サイズおよび印刷用紙使用枚数設定値を記憶する。
Ｃ４：糊代設定手段
糊代設定手段Ｃ４は、糊代設定画像表示手段Ｃ４Ａと、糊代幅設定値記憶手段Ｃ４Ｂと、糊代幅自動設定手段Ｃ４Ｃと、糊代幅自動設定値記憶手段Ｃ４Ｄとを有し、印刷用紙の糊代幅を設定し、記憶する。
【００７２】
Ｃ４Ａ：糊代設定画像表示手段
糊代設定画像表示手段Ｃ４Ａは、前記複数の印刷用紙を糊付けする糊代の幅（糊代サイズ）を設定するための糊代設定画像４（図３参照）を前記分割印刷設定画面１に表示する。本実施の形態の糊代設定画像４は、元画像の上下方向の糊代幅を設定するための上下方向糊代幅設定画像４ａと、左右方向の糊代幅を設定するための左右方向糊代幅設定画像４ｂと、余白が最小になるように糊代幅を調節するための余白最小指定画像４ｃとを有している。なお、本実施の形態では、上方向と下方向の糊代幅が同じ値になるよう構成され、左方向と右方向の糊代幅が同値になるよう構成されているが、上方向、下方向、左方向、右方向の糊代幅を別個独立に設定できるよう構成することも可能である。
【００７３】
Ｃ４Ｂ：糊代幅設定値記憶手段
糊代幅設定値記憶手段Ｃ４Ｂは、前記糊代設定画像４への入力により定まる複数の各印刷用紙の糊代の幅を糊代幅設定値として記憶する。
Ｃ４Ｃ：糊代幅自動設定手段
糊代幅自動設定手段Ｃ４Ｃは、前記使用印刷用紙設定サイズおよび印刷用紙使用枚数設定値と前記元画像用紙サイズとに基づいて、前記複数の印刷用紙の糊代幅を自動的に設定する。本実施の形態では、元画像用紙サイズよりも後述の仕上がり用紙のサイズ（仕上がり用紙サイズ、仕上がりサイズ）が大きな場合に、前記余白最小指定画像４ｃが選択された時（余白最小指定のチェックボックスがチェックされた時）に、余白が最小になるように糊代幅を自動調節する。
Ｃ４Ｄ：糊代幅自動設定値記憶手段
糊代幅自動設定値記憶手段Ｃ４Ｄは、前記糊代幅自動設定手段Ｃ４Ｃで自動設定された糊代幅の設定値を記憶する。
【００７４】
Ｃ５：糊代重合用紙表示手段
糊代重合用紙表示手段Ｃ５は、前記複数の印刷用紙の前記設定された糊代部分が重なった状態で形成される糊代重合用紙（仕上がり用紙）の画像である仕上がり用紙画像６を前記分割印刷設定画面１に表示する。なお、本実施の形態では、仕上がり用紙画像６として、糊代の部分にパターン処理が施され、下に重なる印刷用紙の端が点線で表示された仕上がり用紙画像６が表示されている。そして、貼り合わされる際に上に重なる用紙から順に付された重なり順番号を表示する画像である重なり順番号表示画像６ａが表示されている。
Ｃ６：用紙・元画像重合画像表示手段
用紙・元画像重合画像表示手段Ｃ６は、前記仕上がり用紙画像６に前記元画像Ｇを重ねた画像である用紙元画像重合画像７を前記分割印刷設定画面１に表示する。
【００７５】
Ｃ７：倍率設定手段
倍率設定手段Ｃ７は、倍率設定画像表示手段Ｃ７Ａと、倍率設定値記憶手段Ｃ７Ｂと、倍率自動設定手段Ｃ７Ｃとを有しており、分割印刷設定画面１に表示される画像の倍率を設定し記憶する。
Ｃ７Ａ：倍率設定画像表示手段
倍率設定画像表示手段Ｃ７Ａは、前記元画像のサイズに倍率ａ（ａ＞０）を乗算した倍率乗算画像（後述の図９の倍率乗算画像Ｇ′参照）を前記糊代重合用紙（仕上がり用紙）上に形成する際の前記倍率ａを設定するための倍率設定画像８を前記分割印刷設定画面１に表示する。なお、本実施の形態１では、倍率設定画像８は、倍率ａを数値で入力するよう構成されているが、登録された特定の倍率（例えば、Ａ４→Ａ３（１４１％）等）を選択するよう構成することも可能である。
【００７６】
Ｃ７Ｂ：倍率設定値記憶手段
倍率設定値記憶手段Ｃ７Ｂは、前記倍率設定画像８への入力により定まる前記倍率ａを倍率設定値として記憶する。
Ｃ７Ｃ：倍率自動設定手段
倍率自動設定手段Ｃ７Ｃは、倍率自動設定選択画像表示手段Ｃ７Ｃ１と、倍率自動設定値記憶手段Ｃ７Ｃ２とを有し、倍率自動設定が選択された際に、仕上がり用紙に全画像が収まる最大の倍率ａ（即ち、余白が最小になる倍率ａ）を自動的に演算し設定する。
Ｃ７Ｃ１：倍率自動設定選択画像表示手段
倍率自動設定選択画像表示手段Ｃ７Ｃ１は、前記元画像Ｇのサイズに倍率ａを乗算した倍率乗算画像（図９の倍率乗算画像Ｇ′参照）を前記糊代重合用紙（仕上がり用紙）上に形成する際の前記倍率ａを自動設定することを選択するための倍率自動設定選択画像８ａを表示する。
【００７７】
Ｃ７Ｃ２：倍率自動設定値記憶手段
倍率自動設定値記憶手段Ｃ７Ｃ２は、前記倍率自動設定選択画像８ａが選択された時に（即ち、倍率自動設定選択画像８ａのチェックボックスがチェックされた場合）、元画像Ｇの用紙サイズの縦長さをＧｔ、横長さをＧｙとし、仕上がり用紙サイズの縦長さをＳｔ、横長さをＳｙとした場合に、（Ｓｔ／Ｇｔ）＞（Ｓｙ／Ｇｙ）である時には前記倍率ａ＝（Ｓｙ／Ｇｙ）に設定し、（Ｓｙ／Ｇｙ）＞（Ｓｔ／Ｇｔ）である時には前記倍率ａ＝（Ｓｔ／Ｇｔ）に設定して記憶する。
【００７８】
Ｃ８：用紙倍率乗算画像重合画像表示手段
用紙倍率乗算画像重合画像表示手段Ｃ８は、前記倍率設定手段Ｃ７で設定された倍率ａを前記元画像サイズに乗算した倍率乗算画像（後述の図９の倍率乗算画像Ｇ′参照）を前記仕上がり用紙画像６に重ねた画像である用紙倍率乗算画像重合画像（後述の図９の用紙倍率乗算画像重合画像７′参照）を前記分割印刷設定画面１に表示する。
【００７９】
Ｃ９：綴じ位置指定記憶手段
綴じ位置指定記憶手段Ｃ９は、分割印刷した画像印刷用紙を糊付けした後の複数の仕上がり用紙を綴じる位置が仕上がり用紙の左側で綴じる左綴じかまたは仕上がり用紙の上側で綴じる上綴じかを指定する綴じ位置指定データを記憶する。なお、本実施の形態では、分割印刷設定画面１で綴じ位置を設定せず、アプリケーションプログラムＡＰの印刷開始入力画面（図４参照）において設定するよう構成されている。これに替えて、分割印刷設定画面１に綴じ位置を選択して設定するための綴じ位置設定画像を表示して、印刷形式設定プログラムＰ１で綴じ位置を指定できるよう構成することも可能である。
【００８０】
Ｃ１０：重ね合わせ順序設定手段
重ね合わせ順序設定手段Ｃ１０は、重ね合わせ順序設定画像表示手段Ｃ１０Ａと、重ね合わせ順序記憶手段Ｃ１０Ｂと、重ね合わせ順序初期設定記憶手段Ｃ１０Ｃと、重ね合わせ順序自動設定手段Ｃ１０Ｄとを有し、前記仕上がり用紙を形成する複数の印刷用紙を糊付けする際の前記複数の印刷用紙を重ね合わせる順序を設定する。
Ｃ１０Ａ：重ね合わせ順序設定画像表示手段
重ね合わせ順序設定画像表示手段Ｃ１０Ａは、前記仕上がり用紙を形成する複数の印刷用紙を糊付けする際の前記複数の印刷用紙を重ね合わせる順序を設定するための重合わせ順序設定画像９を前記分割印刷設定画面１に表示する。なお、本実施の形態では、重ね合わせ順序設定画像表示手段Ｃ１０Ａは、前記重ね合わせ順序設定画像９を分割印刷設定画面１に表示すると共に、分割印刷設定画面１上で重ね合わせ順序設定画像９が選択された際に、分割印刷設定画面１とは異なる重ね合わせ順序選択入力画面（後述の図１９参照）を表示する。
【００８１】
Ｃ１０Ｂ：重ね合わせ順序記憶手段
重ね合わせ順序記憶手段Ｃ１０Ｂは、前記重合わせ順序設定画像への入力により表示される重ね合わせ順序選択入力画面での選択によって定まる前記重合わせ順序（重ね合わせ順序設定値）を記憶する。なお、本実施の形態では、重ね合わせ順序は重ね合わせ順序選択入力画面における選択によって設定されるが、スピンコントロールボタン又はラジオボタン等を含む画像により構成し、この画像を分割印刷設定画面１に表示して、分割印刷設定画面１上で重ね合わせ順序を選択するよう構成することも可能である。
【００８２】
Ｃ１０Ｃ：重ね合わせ順序初期設定記憶手段
重ね合わせ順序初期設定記憶手段Ｃ１０Ｃは、前記綴じ位置指定記憶手段Ｃ９で記憶された綴じ位置指定データに応じて、予め設定した前記仕上がり用紙を形成する複数の印刷用紙の前記重ね合わせ順序である重ね合わせ順序初期設定を記憶する。なお、本実施の形態では、重ね合わせ順序初期設定値として、「左上縦優先（後述の図１９参照）」が設定されている。
Ｃ１０Ｄ：重ね合わせ順序自動設定手段
重ね合わせ順序自動設定手段Ｃ１０Ｄは、前記仕上がり用紙を形成する複数の印刷用紙を糊付けする際の前記複数の印刷用紙を重ね合わせる順序である重ね合わせ順序を、前記綴じ位置指定データに基づいて自動で設定する。本実施の形態では、ユーザにより重ね合わせ順序が設定されなかった場合、上下綴じであっても左右綴じであっても前記重ね合わせ順序初期設定記憶手段Ｃ１０Ｃが記憶する重ね合わせ順序初期設定値に自動設定される。これに替えて、例えば、上下綴じの場合「左上縦優先（後述の図１９参照）」に自動設定し、左右綴じの場合「左上横優先」に自動設定するよう構成することも可能である。
【００８３】
Ｃ１１：糊代位置設定手段
糊代位置設定手段Ｃ１１は、糊代位置自動設定手段Ｃ１１Ａと、糊代位置記憶手段Ｃ１１Ｂとを有し、各印刷用紙の糊代位置を設定し記憶する。
Ｃ１１Ａ：糊代位置自動設定手段
糊代位置自動設定手段Ｃ１１Ａは、前記重ね合わせ順序記憶手段Ｃ１０Ｂに記憶された重ね合わせ順序に基づいて前記各印刷用紙の糊代位置を自動的に設定する。即ち、各印刷用紙に対し、重ね合わせ順序が上に重なる場合は裏面に糊代位置を設定し、重ね合わせ順序が下になる場合は表面に糊代位置を自動的に設定する。
Ｃ１１Ｂ：糊代位置記憶手段
糊代位置記憶手段Ｃ１１Ｂは、前記糊代位置自動設定処理により設定された糊代位置を印刷用紙毎に記憶する。
【００８４】
Ｃ１２：仕上がり用紙サイズ演算手段
仕上がり用紙サイズ演算手段Ｃ１２は、前記使用印刷用紙設定サイズ及び印刷用紙使用枚数設定値（分割数）、上下方向の糊代幅、左右方向の糊代幅の設定値に基づいて仕上がり用紙の用紙サイズ（仕上がり用紙サイズ）を演算して記憶する。そして、算出された仕上がり用紙サイズは、仕上がり用紙サイズ画像１０として分割印刷設定画面１に表示する。
【００８５】
（印刷データ作成プログラムＰ２の機能）
Ｃ２１：印刷データ作成手段
印刷データ作成手段Ｃ２１は、前記元画像記憶手段Ｃ１で記憶された元画像の画像データと、元画像を分割印刷することを指定する分割印刷指定データと、前記倍率設定値記憶手段Ｃ７Ｂ及び倍率自動設定値記憶手段Ｃ７Ｃ２のいずれかで記憶された倍率ａの設定値と、印刷用紙設定値記憶手段Ｃ３Ｃ及び印刷用紙自動設定値記憶手段Ｃ３Ｅのいずれかに記憶された使用印刷用紙サイズ設定値および使用印刷用紙枚数設定値と、前記重ね合わせ順序記憶手段Ｃ１０Ｂで記憶された重ね合わせ順序設定値と、前記糊代幅設定値記憶手段Ｃ４Ｂ及び糊代幅自動設定値記憶手段Ｃ４Ｄのいずれかに記憶された糊代幅設定値と、を含む印刷データを作成する。また、本実施の形態では、前記印刷データ作成手段Ｃ２１は、両面印刷を指定する両面印刷指定データと、綴じ位置指定記憶手段Ｃ９によって記憶された綴じ位置指定データを含む前記印刷データを作成する。なお、本実施の形態では、前記両面印刷の指定はアプリケーションプログラムＡＰの印刷開始入力画面（図４参照）で指定されるが、分割印刷設定画面１で設定可能に構成することも可能である。
【００８６】
Ｃ２２：印刷データ送信手段
印刷データ送信手段Ｃ２２は、前記印刷データ作成手段Ｃ２１で作成した印刷データをプリンタサーバＰＳに送信する。
Ｃ２３：裏面記録時設定値自動設定手段
裏面記録時設定値自動設定手段Ｃ２３は、両面印刷を指定された場合で且つ分割用紙の裏面への画像記録時の印刷対象となる元画像の画像データは有るが、裏面への画像記録時の各設定値が未設定の場合、即ち、元画像を分割印刷することを指定する分割印刷指定データ、分割印刷する際に必要な各設定値である前記印刷用紙のサイズおよび枚数の設定値である使用印刷用紙サイズ設定値および使用印刷用紙枚数設定値、各印刷用紙の重ね合わせ順序を設定した重ね合わせ順序設定値、または各印刷用紙の糊代幅を設定した糊代幅設定値のいずれかが未設定の場合には、前記分割用紙の表面への画像記録時の各設定値に基づいて、裏面への画像記録時の各設定値を自動的に設定する。なお、表面の元画像の用紙サイズと裏面の元画像の用紙サイズとが同一の場合、裏面の前記元画像を印刷した時の印刷画像サイズの前記元画像サイズに対する倍率ａが未設定の場合、表面の倍率ａを自動設定させるように裏面記録時設定値自動設定手段Ｃ２３を構成することも可能である。
【００８７】
なお、本実施の形態では、ワークステーションＷＳ、データベースサーバＤＢＳ等は、前記クライアントＰＣと異なり機能実現手段Ｃ１〜Ｃ２３等を有していない。しかしながら、前記ワークステーションＷＳ、データベースサーバＤＢＳ等が各機能実現手段Ｃ１〜Ｃ２３を備えるよう構成可能なことは言うまでもない。
【００８８】
（プリンタサーバＰＳの機能）
図５は前記図１に示す印刷処理システムのプリンタサーバ及びプリンタの機能をブロック図（機能ブロック図）で示した図である。
プリンタサーバＰＳのコンピュータ本体Ｄ１（図１参照）は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクドライブ、ＲＡＭまたはＲＯＭに記憶されたプログラムに応じた処理を行うＣＰＵ（中央演算処理装置）、ならびにクロック発振器等を有している。
前記構成のプリンタサーバＰＳは、前記ハードディスクドライブ、ＲＡＭまたはＲＯＭに記憶されたプログラムを実行することにより種々の機能を実現することができる。
【００８９】
図５において、前記プリンタサーバ（印刷処理装置、画像処理装置）ＰＳの印刷情報処理手段Ｐ３は、次の各機能実現手段（プログラムモジュール）を有している。
Ｃ３１：受信印刷データ記憶手段
受信印刷データ記憶手段Ｃ３１は、前記印刷データ送信手段Ｃ２２によって送信された送信用印刷データを受信したときに受信印刷データとして記憶する。本実施の形態では、前記受信印刷データには、印刷対象となる元画像の画像データと、前記元画像を印刷した時の印刷画像サイズの前記元画像サイズに対する倍率の設定値ａと、元画像を分割印刷することを指定する分割印刷指定データと、分割印刷する際の印刷用紙のサイズおよび枚数の設定値である使用印刷用紙サイズ設定値および使用印刷用紙枚数設定値と、各印刷用紙の重ね合わせ順序を設定した重ね合わせ順序設定値と、各印刷用紙の糊代幅を設定した糊代幅設定値と、両面印刷を指定する両面印刷指定データと、綴じ位置指定データとが含まれる。
【００９０】
図６は本発明の印刷情報処理手段の機能実現手段によってプリンタサーバのディスプレイに表示されるメイン画面の説明図である。
Ｃ３２：メイン画面表示手段
メイン画面表示手段Ｃ３２は、ディスプレイＤ２に印刷の進行状況等を表示するためのメイン画面１１（図６参照）を表示する。図６において、前記メイン画面１１には、印刷実行中の印刷ジョブを示す印刷ジョブ表示画像１１ａと、現在印刷中の印刷画像を表示するプレビュー画面１１ｂと、現在印刷中の印刷ジョブの状況（何ページ印刷ジョブが残っているか等）を表示する印刷状況表示画像１１ｃと、印刷がまだ実行されていない印刷ジョブやジョブ保持指定がされた印刷ジョブを表示する保持ジョブ表示画像１１ｄと、印刷ジョブを実行しようとしたが用紙のサイズが一致しない等の理由によりエラーとなった印刷ジョブを表示するエラージョブ表示画像１１ｅと、印刷開始やジョブ消去等の作業アイコンが表示される作業アイコン表示画像１１ｆとを有している。
【００９１】
Ｐ１：印刷形式設定プログラム
印刷形式設定プログラムＰ１は、前記クライアントパソコンＰＣの印刷形式設定プログラムＰ１と同様に構成されており、同様の機能実現手段Ｃ１〜Ｃ１２を備えている。そして、前記メイン画面１１の保持ジョブ表示画像１１ｄまたはエラージョブ表示画像１１ｅにおいて選択されたジョブの分割印刷設定が選択された場合、印刷形式設定プログラムＰ１の各機能実現手段Ｃ１〜Ｃ１２により、分割印刷設定画面１等がディスプレイＤ２に表示される。
【００９２】
Ｃ３３：表示制御手段
表示制御手段Ｃ３３は、前記メイン画面１１や分割印刷設定画面１等のディスプレイＤ２に表示される画像の表示の切替等を制御する。
Ｃ３４：印刷指定処理手段
印刷指定処理手段Ｃ３４は、分割印刷指定判別手段Ｃ３４Ａと、ジョブ保持処理手段Ｃ３４Ｂと、エラー処理手段Ｃ３４Ｃとを有し、受信印刷データの印刷ジョブを実行する際の指定（分割印刷の指定やジョブ保持の指定等）を判別して処理する。
【００９３】
Ｃ３４Ａ：分割印刷指定判別手段
分割印刷指定判別手段Ｃ３４Ａは、受信印刷データが分割して印刷するよう指定されているか否かを判別する。
Ｃ３４Ｂ：ジョブ保持処理手段
ジョブ保持処理手段Ｃ３４Ｂは、受信印刷データがジョブ保持指定されているか否かを判別するジョブ保持指定判別手段Ｃ３４Ｂ１と、ジョブ保持指定された印刷ジョブの受信印刷データ（画像データ）を保持（記憶）する保持ジョブ画像データ記憶手段Ｃ３４Ｂ２と、選択された保持ジョブを消去する保持ジョブ消去手段Ｃ３４Ｂ３とを有する。
【００９４】
Ｃ３４Ｃ：エラー処理手段
エラー処理手段Ｃ３４Ｃは、元画像用紙サイズに対応する印刷用紙が使用可能ではない等の場合に実行できない印刷ジョブ（エラージョブ）であると判別するエラージョブ判別手段Ｃ３４Ｃ１と、エラージョブと判別された際に印刷ジョブの受信印刷データをエラージョブデータとして保持する（記憶する）エラージョブデータ記憶手段Ｃ３４Ｃ２とを有する。
【００９５】
Ｃ３５：画像処理手段
画像処理手段Ｃ３５は、画像記録領域演算記憶手段Ｃ３５Ａと、印刷画像データ割り付け手段Ｃ３５Ｂと、裏面記録時設定値自動設定手段Ｃ３５Ｃとを有し、前記受信印刷データの各印刷パラメータや、印刷形式設定プログラムＰ１で設定された印刷パラメータ等に基づいて画像処理を実行する。
Ｃ３５Ａ：画像記録領域演算記憶手段
画像記録領域演算記憶手段Ｃ３５Ａは、前記複数の印刷用紙を糊付けする際の各用紙の重合わせ順序と糊代幅とに応じて、前記複数の印刷用紙を糊付けして仕上がり用紙とした状態での前記各用紙の露出領域である画像記録領域を用紙毎に演算して用紙毎に記憶する。即ち、前記重ね合わせ順序と糊代幅に基づいて、各用紙のどの位置（用紙上縁等）に糊代が設定され、その糊代幅がいくらになるか等を用紙毎に算出し、画像が記録可能な領域の位置及び広さを記憶する。
【００９６】
Ｃ３５Ｂ：印刷画像データ割り付け手段
印刷画像データ割り付け手段Ｃ３５Ｂは、前記元画像サイズと前記倍率ａとに基づいて定まる印刷画像を記録するための印刷画像データを、前記画像記録領域演算記憶手段Ｃ３５Ａで演算され記憶された各用紙の前記露出領域である画像記録領域毎に割り付ける。また、本実施の形態の印刷画像データ割り付け手段Ｃ３５Ｂは、前記綴じ位置指定データに基づいて、前記仕上がり用紙の綴じ位置が上綴じに指定されている場合、分割用紙の裏面への画像記録時の印刷対象となる元画像の画像データを１８０°回転させた回転画像と前記倍率ａとに基づいて定まる印刷画像を記録するための印刷画像データを、前記各用紙の前記露出領域である画像記録領域毎に割り付ける。
【００９７】
Ｃ３５Ｃ：裏面記録時設定値自動設定手段
裏面記録時設定値自動設定手段Ｃ３５Ｃは、前記印刷データ作成プログラムＰ２の裏面記録時設定値自動設定手段Ｃ２３と同様に構成されている。したがって、クライアントパソコンＰＣから送信された受信印刷データでは裏面記録時の各設定値が自動的に設定されているため、裏面記録時設定値自動設定手段Ｃ３５Ｃでの処理が実行されないが、プリンタサーバＰＳで分割印刷設定が行われた場合や、ワークステーションＷＳ等から送信された受信印刷データで裏面記録時の各設定値がなされていない場合には、裏面記録時設定値自動設定手段Ｃ３５Ｃにより裏面記録時の各設定値が表面への画像記録時の各設定値に基づいて自動的に設定される。
Ｃ３６：印刷制御手段（プリンタコントローラ）
印刷制御手段Ｃ３６は、前記各印刷用紙の前記各画像記録領域毎に割り付けられた印刷画像データを、前記各印刷用紙の各画像記録領域に印刷するようにプリンタ（印刷装置、画像処理装置）Ｐｒの動作を制御する。
【００９８】
（プリンタの機能）
図５において、プリンタＰｒは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ＲＡＭまたはＲＯＭに記憶されたプログラムに応じた処理を行うＣＰＵ（中央演算処理装置）、ならびにクロック発振器等を有している。
前記構成のプリンタＰｒは、前記ハードディスクドライブ、ＲＡＭまたはＲＯＭに記憶されたプログラムを実行することにより種々の機能を実現することができる。
【００９９】
前記プリンタ（印刷装置、画像処理装置）Ｐｒは、次の機能実現手段（機能実現処理、プログラムモジュール）を有している。
Ｃ４１：画像記録手段
画像記録手段Ｃ４１は、印刷制御手段Ｃ３６の制御に従って、前記プリンタサーバＰＳから送信された前記各印刷用紙の前記各画像記録領域毎に割り付けられた印刷画像データを、前記各印刷用紙の各画像記録領域に印刷する。
【０１００】
（実施の形態１のフローチャートの説明）
（クライアントパソコンのフローチャート）
図７は本発明の実施の形態１の印刷処理システムのクライアントパソコンにおける印刷設定処理のフローチャートである。
図７のフローチャートの各ＳＴ（ステップ）の処理は、前記クライアントパソコンＰＣのＣＰＵの処理に従って実行される。
【０１０１】
図７のＳＴ１において、クライアントパソコンＰＣのアプリケーションプログラムＡＰにおいて、印刷処理開始が選択されたか否かを判別する。ノー（Ｎ）の場合はＳＴ１を繰り返し、イエス（Ｙ）の場合はＳＴ２に移る。
ＳＴ２において、前記図４に示す印刷開始入力画面をディスプレイＨ２に表示する。そしてＳＴ３に移る。
ＳＴ３において、印刷開始入力画面において「印刷開始」が選択されたか否かを判別する。ノー（Ｎ）の場合はＳＴ４に移り、イエス（Ｙ）の場合はＳＴ９に移る。
ＳＴ４において、印刷開始入力画面において「キャンセル」が選択されたか否かを判別する。ノー（Ｎ）の場合はＳＴ５に移り、イエス（Ｙ）の場合はＳＴ１０に移る。
【０１０２】
ＳＴ５において、図４に示す印刷開始入力画面において印刷範囲、印刷部数、両面印刷の指定、ジョブ保持の指定等の入力や、オプション選択時に表示されるオプション設定画面において給紙トレイや排紙トレイの指定等の入力があったか否かを判別する。イエス（Ｙ）の場合はＳＴ６に移り、ノー（Ｎ）の場合はＳＴ７に移る。
ＳＴ６において、印刷開始入力画面においてされた印刷範囲等の入力のデータを入力データ用の一時記憶手段（ＲＡＭ等）で記憶し、前記入力に応じて印刷開始入力画面の表示を更新する。そして、ＳＴ３に戻る。
ＳＴ７において、印刷開始入力画面において「分割印刷の設定」が選択されたか否かを判別する。ノー（Ｎ）の場合はＳＴ３に戻り、イエス（Ｙ）の場合はＳＴ８に移る。
ＳＴ８において、分割設定処理（後述の図８のサブルーチン参照）を実行して、印刷用の画像データの印刷時の倍率や分割印刷する際の糊代幅等の設定を行い、各設定を一時記憶する。そして、ＳＴ３に戻る。
【０１０３】
ＳＴ９において、ＳＴ３で「印刷開始」が選択されたので、前記ＳＴ５で入力され、ＳＴ６で一時記憶された入力データに応じた印刷用画像データ及び両面印刷指定データ等と、ＳＴ８において設定された分割印刷用の印刷パラメータとを含む送信用印刷データを前記印刷データ作成手段Ｃ２１で作成し、印刷データ送信手段Ｃ２２によってプリンタサーバＰＳに送信する。このとき、両面印刷が指定され且つ裏面側の印刷パラメータが全て設定されていない場合、裏面記録時設定値自動設定手段Ｃ２３によって、表面側の設定値に基づいて裏面側の印刷パラメータが設定された後、送信される。そして、印刷開始入力画面を閉じ、ＳＴ１に戻り、印刷処理開始が選択されるまで待機する。
ＳＴ１０において、印刷開始入力画面において「キャンセル」が選択されたので、前記ＳＴ６やＳＴ８で一時記憶された各設定値を消去する（破棄する）。そして、図４に示す印刷開始入力画面を閉じ、ＳＴ１に戻り、印刷処理開始が選択されるまで待機する。
【０１０４】
したがって、前記ＳＴ１〜ＳＴ１０の処理によって、クライアントパソコンＰＣでは、印刷範囲等の設定や分割印刷の設定等が行われ、前記各設定に基づいた印刷用画像データ（元画像データ）と、倍率や糊代幅等の印刷パラメータを含む送信用印刷データが作成され、プリンタサーバＰＳに送信される。
【０１０５】
（分割設定処理の説明）
図８は、前記図７の印刷設定処理の分割設定処理のサブルーチンのフローチャートである。
図８のＳＴ２１において、糊代サイズや倍率の初期設定値を読み込み、元画像の画像データに基づいて使用する印刷用紙（使用印刷用紙）や分割数を自動的に設定して分割印刷設定画面１を表示するための処理である初期設定表示処理（後述の図１４のサブルーチン参照）を実行してＳＴ２２に移る。
ＳＴ２２において、両面印刷が指定されているか否かを判別する。ノー（Ｎ）の場合はＳＴ２３に移り、イエス（Ｙ）の場合はＳＴ２４に移る。
ＳＴ２３において、前記図３に示す片面印刷用分割印刷設定画面１を表示し、ＳＴ２７に移る。
【０１０６】
ＳＴ２４において、両面印刷された画像印刷用紙を綴じる位置として上綴じが指定されているか否かを判別する。イエス（Ｙ）の場合はＳＴ２５に移り、ノー（Ｎ）の場合はＳＴ２６に移る。
ＳＴ２５において、上下綴じ時両面印刷用分割印刷設定画面（後述の図２７参照）を表示し、ＳＴ２７に移る。
ＳＴ２６において、左右綴じ時両面印刷用分割印刷設定画面（後述の図３２参照）を表示し、ＳＴ２７に移る。
【０１０７】
（倍率の変更）
ＳＴ２７において、分割印刷設定画面１において、倍率設定の入力がされたか否か判別する。イエス（Ｙ）の場合はＳＴ２８に移り、ノー（Ｎ）の場合はＳＴ３２に移る。
ＳＴ２８において、入力された倍率設定が「自動」であるか否か、即ち、前記倍率自動設定選択画像８ａが選択されたか否かを判別する。イエス（Ｙ）の場合はＳＴ２９に移り、ノー（Ｎ）の場合はＳＴ３０に移る。
ＳＴ２９において、元画像の用紙サイズと仕上がり用紙サイズとに基づいて、元画像が仕上がり用紙サイズに収まる最大の倍率を自動的に演算して設定する倍率自動設定処理（後述の図１５のサブルーチン参照）が実行される。そして、ＳＴ３１に移る。
【０１０８】
ＳＴ３０において、倍率設定画像８の倍率の欄に直接入力された値を倍率ａの設定値として設定し、倍率ａに基づいて元画像の用紙サイズを拡大または縮小する。そして、ＳＴ３１に移る。
ＳＴ３１において、次の（１）〜（３）の処理を実行する。
（１）更新された（設定された）設定値を一時記憶する
（２）分割印刷が指定されたことを示す分割印刷指定データを一時記憶する。
（３）更新に応じて分割印刷設定画面１の表示を更新する。
そして、ＳＴ２７に戻る。
【０１０９】
図９は倍率自動設定が選択された場合の分割印刷設定画面の説明図である。
前記ＳＴ２７〜ＳＴ３１の処理によって、ユーザの入力または自動設定によって、倍率ａが更新され、分割印刷設定画面１に倍率乗算画像Ｇ′での表示が変更される。例えば、図３に示す元画像の用紙サイズ（画像サイズ）がＡ２（４２０ｍｍ×５９４ｍｍ）、仕上がり用紙サイズが４２０ｍｍ×５７４ｍｍである場合に、倍率自動設定が選択されると、前記ＳＴ２９の倍率自動設定処理によって倍率ａ（９６％）が自動的に算出され、倍率自動設定選択画像８ａのチェックボックスがチェックされる。そして、図３に示す仕上がり用紙画像６に前記元画像Ｇを重ねた画像である用紙元画像重合画像７から、図９に示す仕上がり用紙画像６に倍率乗算画像Ｇ′を重ねた画像である用紙倍率乗算画像重合画像７′に更新される。
【０１１０】
（糊代サイズの変更）
図８のＳＴ３２において、分割印刷設定画面１の糊代設定画像４に糊代サイズ（糊代幅）を設定する入力があったか否かを判別する。イエス（Ｙ）の場合はＳＴ３３に移り、ノー（Ｎ）の場合はＳＴ３４に移る。
ＳＴ３３において、入力された糊代サイズ（糊代幅）に応じて仕上がり用紙サイズを計算し、仕上がり用紙サイズを更新する。そして、ＳＴ３１に移る。
図１０は糊代サイズが変更された場合の分割印刷設定画面の説明図である。
したがって、前記ＳＴ３２，ＳＴ３３，ＳＴ３１の処理によって、入力された糊代サイズに応じて糊代設定画像４が更新されると共に、糊代サイズに応じて仕上がり用紙サイズが変更され糊代サイズ仕上がり用紙画像６が更新される。例えば、左右方向の糊代サイズ（糊代幅）を図３に示す初期設定値２０ｍｍから、図１０に示す設定値２５ｍｍに変更した場合、変更に伴い左右方向糊代幅設定画像４ｂの表示が更新されると共に、仕上がり用紙サイズ画像１０の仕上がり用紙サイズの値が４２０ｍｍ×５７４ｍｍ（図３参照）から４２０ｍｍ×５６９ｍｍ（図１０参照）に更新される。そして、前記仕上がり用紙サイズの値の更新に伴い、分割印刷設定画面１の仕上がり用紙画像６が更新される。
【０１１１】
（分割数の変更）
ＳＴ３４において、分割印刷設定画面１の印刷用紙使用枚数設定画像３ｂに印刷用紙使用枚数設定値（分割数）を変更する入力されたか否かを判別する。イエス（Ｙ）の場合はＳＴ３５に移り、ノー（Ｎ）の場合はＳＴ３６に移る。
ＳＴ３５において、使用する印刷用紙の枚数を設定する分割数設定処理（後述の図１６のサブルーチン参照）が実行され、ＳＴ３１に移る。
前記ＳＴ３４，ＳＴ３５，ＳＴ３１の処理によって、入力された分割数（印刷用紙使用枚数設定値）に応じて印刷用紙使用枚数設定画像３ｂが更新されると共に、変更前の分割数と変更後の分割数とが所定の関係を満足する場合、使用印刷用紙が更新される。そして、前記分割数の変更や使用印刷用紙の変更に応じて仕上がり用紙サイズが更新され、仕上がり用紙サイズ画像１０及び仕上がり用紙画像６が更新される。
【０１１２】
図１１は分割数が変更された場合の分割印刷設定画面の説明図である。
例えば、図３に示す分割数２の設定から、分割数４に変更した場合、分割数が二倍になり且つ変更前の使用印刷用紙設定サイズ（Ａ３、図３参照）の１／２の大きさのサイズの印刷用紙（Ａ４）が使用可能なので、後述するＳＴ３５の分割数設定処理によって、図１１に示すように分割数が入力された値である４に変更されると共に、使用印刷用紙設定サイズが自動的にＡ４に変更される。そして、この変更に伴い、分割印刷設定画面１の印刷用紙サイズ設定画像３ａ、印刷用紙使用枚数設定画像３ｂ、糊代設定画像４、仕上がり用紙サイズ画像１０及び仕上がり用紙画像６が更新される。
【０１１３】
（使用用紙の変更）
図８のＳＴ３６において、分割印刷設定画面１の印刷用紙サイズ設定画像３ａに表示された使用可能用紙サイズの中から現在使用印刷用紙のサイズとして設定されている使用印刷用紙設定サイズ（図３において枠線が太く表示されているＡ３サイズ）から別のサイズに変更する入力がされたか否かを判別する。イエス（Ｙ）の場合はＳＴ３７に移り、ノー（Ｎ）の場合はＳＴ３８に移る。
ＳＴ３７において、使用印刷用紙を変更する使用用紙変更処理（後述の図１７のサブルーチン参照）が実行され、ＳＴ３１に移る。
したがって、前記ＳＴ３６，ＳＴ３７，ＳＴ３１の処理によって、選択された使用印刷用紙設定サイズに応じて印刷用紙サイズ設定画像３ａが更新されると共に、変更前の使用印刷用紙設定サイズと変更後の使用印刷用紙設定サイズとが所定の関係を満足する場合、分割数（印刷用紙使用枚数設定値）が更新される。そして、前記使用印刷用紙のサイズの変更や分割数の変更に応じて仕上がり用紙サイズ等が更新され、仕上がり用紙サイズ画像１０及び仕上がり用紙画像６等が更新される。
【０１１４】
例えば、図３に示す使用印刷用紙設定サイズがＡ３の設定から、Ａ４に変更した場合、変更前の使用印刷用紙設定サイズＡ３の１／２の大きさのサイズの使用印刷用紙設定サイズＡ４に変更されたので、前記ＳＴ３７の使用用紙変更処理によって、図１１に示すように、使用印刷用紙設定サイズが選択されたＡ４に変更されると共に、分割数が二倍されて２から４に自動的に変更される。そして、この変更に伴い、図１１に示すように、分割印刷設定画面１の印刷用紙サイズ設定画像３ａ、印刷用紙使用枚数設定画像３ｂ、糊代設定画像４、仕上がり用紙サイズ画像１０及び仕上がり用紙画像６が更新される。
【０１１５】
（重なり順の変更）
図８のＳＴ３８において、分割印刷設定画面１の「用紙の重なり順の設定」が選択されたか否かを判別する。イエス（Ｙ）の場合はＳＴ３９に移り、ノー（Ｎ）の場合はＳＴ４０に移る。
ＳＴ３９において、重なり順（重ね合わせ順序）を設定するための重なり順変更処理（後述の図１８のサブルーチン参照）が実行され、ＳＴ３１に移る。
したがって、前記ＳＴ３８，ＳＴ３９，ＳＴ３１の処理によって、重合わせ順序設定画像９が選択された場合に、ＳＴ３９の重なり順変更処理によって重なり順が更新され、これに伴い用紙の重ね合わせの順序を示す番号である重なり順番号及び、仕上がり用紙画像６や重なり順番号表示画像６ａが更新される。
【０１１６】
図１２は重ね合わせ順序が変更された場合の分割印刷設定画面の説明図である。
例えば、図１１に示された使用印刷用紙設定サイズＡ４、分割数４、重ね合わせ順序が左上、左下、右上、右下の順の左上縦優先に設定されている状態から、ＳＴ３９の処理によって、図１２に示すように重ね合わせ順序が右上、右下、左上、左下の右上縦優先に変更された場合、この変更に伴い、重ね合わせ順序設定値及び重なり順番号が更新される。そして、この重なり順序の設定の変更に伴い、糊代の位置が自動的に変更され、仕上がり用紙画像６及び重なり順番号表示画像６ａが更新される。
【０１１７】
（余白最小設定の選択）
図８のＳＴ４０において、分割印刷設定画面１において余白最小指定画像４ｃを選択する入力がされたか否かを判別する。イエス（Ｙ）の場合はＳＴ４１に移り、ノー（Ｎ）の場合はＳＴ４２に移る。
ＳＴ４１において、元画像の画像サイズまたは倍率ａを乗算した後の倍率乗算画像Ｇ′の画像サイズと、仕上がり用紙サイズとに基づいて、余白が最小になるように糊代幅を調節するための余白最小設定処理（後述の図２１のサブルーチン参照）を実行し、ＳＴ３１に移る。
したがって、前記ＳＴ４０，ＳＴ４１，ＳＴ３１の処理によって、余白最小指定画像４ｃが選択された場合に、ＳＴ４１の余白最小設定処理によって糊代幅が自動調節され、これに伴い、上下方向糊代幅設定画像４ａ、左右方向糊代幅設定画像４ｂが更新され、仕上がり用紙画像６が更新される。
【０１１８】
図１３は余白を最小にする選択がされた場合の分割印刷設定画面の説明図である。
例えば、図１１に示された使用印刷用紙設定サイズＡ４、分割数４の設定状態から、使用印刷用紙設定サイズをＢ４に変更後、余白を最小にする選択がされた場合（即ち、余白最小設定画像４ｃが選択された場合）、図１３に示すように、元画像の用紙サイズ（画像サイズ）と仕上がり用紙サイズとに基づいて糊代サイズが調節される。
なお、図３に示す状態で、余白を最小にする選択がされた場合に、前記ＳＴ２９の倍率自動設定処理を実行して、図９に示す状態と同様に倍率ａが９６％に自動設定されるよう処理することも可能である。
【０１１９】
図８のＳＴ４２において、分割印刷設定画面１の「設定終了」が選択されたか否かを判別する。イエス（Ｙ）の場合はＳＴ４３に移り、ノー（Ｎ）の場合はＳＴ４４に移る。
ＳＴ４３において、前記ＳＴ３１で一時記憶された更新データ（倍率ａや糊代サイズ、分割数等の印刷パラメータ）を確定記憶する。そして、分割設定処理を終了し、前記図７のクライアントパソコンにおける印刷設定処理のフローチャートのＳＴ８に戻る。
ＳＴ４４において、分割印刷画面１の「キャンセル」が選択されたか否かを判別する。イエス（Ｙ）の場合はＳＴ４５に移り、ノー（Ｎ）の場合はＳＴ２７に戻る。
ＳＴ４５において、前記ＳＴ３１で一時記憶された更新データを消去する。そして、分割設定処理を終了し、前記図７のクライアントパソコンにおける印刷設定処理のフローチャートのＳＴ８に戻る。
【０１２０】
（初期設定表示処理のサブルーチンの説明）
図１４は前記図８の分割設定処理における初期設定表示処理のサブルーチンのフローチャートである。
図１４のＳＴ５１において、次の処理（１）〜（５）を実行する。
（１）印刷対象である元画像の用紙サイズ（画像サイズ）を読み込む。
（２）使用可能用紙サイズを読み込む。
（３）糊代サイズ初期設定値を読み込む。なお、本実施の形態では、上下方向の糊代サイズ初期設定値として１０ｍｍ、左右方向の糊代サイズ初期設定値として２０ｍｍが設定されている。
（４）倍率初期設定値を読み込む。なお、本実施の形態では、倍率初期設定値として１００％が設定されている。
（５）重ね合わせ順序初期設定を読み込む。本実施の形態では、重ね合わせ順序初期設定として、「左上縦優先（後述の図１９参照）」が設定されている。
そして、ＳＴ５２に移る。
【０１２１】
ＳＴ５２において、分割印刷設定画面１が表示される前に、ディスプレイＨ２に、自動設定を行うか否かをユーザに選択させるための自動設定選択画面（図示せず）が表示される。そして、ＳＴ５３に移る。
ＳＴ５３において、前記自動設定選択画面において自動設定を行うよう選択されたか否かを判別する。ノー（Ｎ）の場合はＳＴ５４に移り、イエス（Ｙ）の場合はＳＴ５５に移る。
ＳＴ５４において、次の処理（１）、（２）が実行される。
（１）分割数（印刷用紙使用枚数設定値）を１に設定する。
（２）使用印刷用紙設定サイズを使用可能用紙サイズの内最大のサイズに設定し、設定された印刷用紙のサイズを仕上がり用紙サイズに設定する。
そして、初期設定表示処理を終了し、図８の分割設定処理のＳＴ２１に戻る。
【０１２２】
前記ＳＴ５２〜ＳＴ５４の処理によって自動設定をしない場合、使用可能な用紙サイズに関わらず、用紙を分割せず（分割数を１に設定する）、画像サイズを仕上がり用紙サイズに設定した分割印刷設定画面１がディスプレイＨ２に表示される。なお、分割数や使用印刷用紙サイズの自動設定を必ず行わないことが予め設定されている場合、前記ＳＴ５２，ＳＴ５３の処理及び後述のＳＴ５５〜ＳＴ６３の処理を設ける必要はない。逆に、分割数や使用印刷用紙サイズの自動設定を必ず行うことが予め設定されている場合、前記ＳＴ５２〜ＳＴ５４の処理を省略して、ＳＴ５１の処理を実行後後述のＳＴ５５〜ＳＴ６３の処理を実行するよう初期設定表示処理を構成することも可能である。
【０１２３】
ＳＴ５５において、画像サイズ（元画像用紙サイズ）が、使用印刷用紙のうち最大の用紙サイズよりも大きいか否かを判別する。ノー（Ｎ）の場合はＳＴ５６に移り、イエス（Ｙ）の場合はＳＴ５７に移る。なお、本実施の形態では、プリンタＰｒで使用可能な印刷用紙のサイズがＡ３，Ｂ４，Ａ４に設定されているので、ＳＴ５５においてノー（Ｎ）となるのは、元画像サイズがＡ３以下の場合である。
ＳＴ５６において、次の処理（１）、（２）を実行する。
（１）分割数（印刷用紙使用枚数設定値）を１に設定する。
（２）画像サイズ（元画像用紙サイズ）に対応する用紙サイズを使用印刷用紙設定サイズ及び仕上がり用紙サイズに設定する。
そして、初期設定表示処理を終了し、図８の分割設定処理のＳＴ２１に戻る。
【０１２４】
ＳＴ５７において、画像サイズ（元画像用紙サイズ）がＢ３以下か否かを判別する。ノー（Ｎ）の場合はＳＴ５８に移り、イエス（Ｙ）の場合はＳＴ５９に移る。なお、本実施の形態では、ＳＴ５７においてノー（Ｎ）となるのは、元画像サイズがＢ３以下でＡ３より大きなサイズの場合である。
ＳＴ５８において、次の処理（１）〜（３）を実行する。
（１）分割数（印刷用紙使用枚数設定値）を２に設定する。
（２）使用印刷用紙設定サイズをＢ４に設定する。
（３）仕上がり用紙サイズを計算する。
そして、初期設定表示処理を終了し、図８の分割設定処理のＳＴ２１に戻る。
【０１２５】
ＳＴ５９において、画像サイズ（元画像用紙サイズ）がＡ２以下か否かを判別する。ノー（Ｎ）の場合はＳＴ６０に移り、イエス（Ｙ）の場合はＳＴ６１に移る。なお、本実施の形態では、ＳＴ５９においてノー（Ｎ）となるのは、元画像サイズがＡ２以下でＢ３より大きなサイズの場合である。
ＳＴ６０において、次の処理（１）〜（３）を実行する。
（１）分割数（印刷用紙使用枚数設定値）を２に設定する。
（２）使用印刷用紙設定サイズをＡ３に設定する。
（３）仕上がり用紙サイズを計算する。
そして、初期設定表示処理を終了し、図８の分割設定処理のＳＴ２１に戻る。
【０１２６】
ＳＴ６１において、画像サイズ（元画像用紙サイズ）がＢ０，Ｂ１，Ｂ２であるか否かを判別する。ノー（Ｎ）の場合はＳＴ６２に移り、イエス（Ｙ）の場合はＳＴ６３に移る。
ＳＴ６２において、次の処理（１）〜（３）を実行する。
（１）分割数（印刷用紙使用枚数設定値）を４に設定する。
（２）使用印刷用紙設定サイズをＢ４に設定する。
（３）仕上がり用紙サイズを計算する。
そして、初期設定表示処理を終了し、図８の分割設定処理のＳＴ２１に戻る。
ＳＴ６３において、次の処理（１）〜（３）を実行する。
（１）分割数（印刷用紙使用枚数設定値）を４に設定する。
（２）使用印刷用紙設定サイズをＡ３に設定する。
（３）仕上がり用紙サイズを計算する。
そして、初期設定表示処理を終了し、図８の分割設定処理のＳＴ２１に戻る。
【０１２７】
したがって、前記ＳＴ５５〜ＳＴ６３の処理によって、Ａ３，Ｂ４，Ａ４の印刷用紙が使用可能な本実施の形態のプリンタＰｒに応じて、元画像用紙サイズがＡ３以下の場合は分割されず（ＳＴ５６）、Ａ３〜Ｂ３の場合はＢ４の印刷用紙２枚に設定される（ＳＴ５８）。そして、元画像用紙サイズがＢ３〜Ａ２の場合はＡ３の印刷用紙２枚に設定され（ＳＴ６０）、それ以上のサイズの場合は原則的にＡ３の印刷用紙４枚に設定され（ＳＴ６３）、Ｂ０，Ｂ１，Ｂ２の時のみ印刷用紙がＢ４に設定される（ＳＴ６２）。したがって、例えば、元画像用紙サイズがＡ２の場合に自動設定が選択されると、ＳＴ６０の処理によって使用印刷用紙設定サイズがＡ３、分割数が２に自動設定され、前記図３に示す分割印刷設定画面１が表示される。なお、本実施の形態では、プリンタで使用可能な印刷用紙のサイズが決まっているので、ＳＴ５５〜ＳＴ６３のような処理を実行したが、元画像用紙サイズと分割数及び印刷用紙サイズとを対応させるテーブルを作成して、印刷対象の元画像のサイズに応じてテーブルから分割数及び印刷用紙サイズを決定するよう構成することも可能である。また、本実施の形態では、分割数が１，２，４に限定されているが、分割数を８，１６にしたり、３分割（例えば、Ａ４の用紙３枚を短辺方向に重ね合わせて配置する場合）等も設定可能に構成することも可能である。
【０１２８】
（倍率自動設定処理のサブルーチンの説明）
図１５は、前記図８の分割設定処理における倍率自動設定処理のサブルーチンのフローチャートである。
図１５のＳＴ７１において、次の処理（１）、（２）を実行する。
（１）画像サイズ（元画像用紙サイズ）の縦方向長さＧｔ及び横方向長さＧｙを読みとる。
（２）仕上がり用紙サイズの縦方向長さＳｔ及び横方向長さＳｙを読みとる。
そしてＳＴ７２に移る。
ＳＴ７２において、（Ｓｔ／Ｇｔ）＜（Ｓｙ／Ｇｙ）であるか否かを判別する。イエス（Ｙ）の場合はＳＴ７３に移り、ノー（Ｎ）の場合はＳＴ７４に移る。
【０１２９】
ＳＴ７３において、（Ｓｔ／Ｇｔ）＜（Ｓｙ／Ｇｙ）である場合、倍率ａの設定値を（Ｓｔ／Ｇｔ）×１００％に自動設定し、ＳＴ７５に移る。
ＳＴ７４において、（Ｓｔ／Ｇｔ）≧（Ｓｙ／Ｇｙ）である場合、倍率ａの設定値を（Ｓｙ／Ｇｙ）×１００％に自動設定し、ＳＴ７５に移る。
ＳＴ７５において、設定された倍率ａに応じて元画像Ｇまたは倍率乗算画像Ｇ′を拡大又は縮小する。そして、倍率自動設定処理を終了し、前記図８の分割設定処理のＳＴ２９に戻る。
【０１３０】
前記ＳＴ７１〜ＳＴ７５の倍率自動設定処理によって、仕上がり用紙内に元画像Ｇの全体が収まる最大の倍率ａに自動的に設定される。例えば、図３に示す印刷設定画面１では、前記Ｇｔ＝４２０ｍｍ、Ｇｙ＝５９４ｍｍ、Ｓｔ＝４２０ｍｍ、Ｓｙ５７４ｍｍであるので、（Ｓｔ／Ｇｔ）＝１、（Ｓｙ／Ｇｙ）＝０．９６であり、（Ｓｔ／Ｇｔ）≧（Ｓｙ／Ｇｙ）が成立する。したがって、倍率自動設定が選択された場合、図９に示すように倍率ａが９６％に自動設定され、元画像Ｇ（図３参照）から縮小された倍率乗算画像Ｇ′（図９参照）に変更される。逆に、元画像Ｇよりも仕上がり用紙サイズが大きい場合、拡大された倍率乗算画像Ｇ′に変更される。
【０１３１】
（分割数設定処理のサブルーチンの説明）
図１６は、前記図８の分割設定処理における分割数設定処理のサブルーチンのフローチャートである。
図１６のＳＴ８１において、現在設定されている分割数（変更前分割数）が、分割印刷設定画面１で入力された分割数（変更後分割数）の２倍になっているか否かを判別する。イエス（Ｙ）の場合はＳＴ８２に移り、ノー（Ｎ）の場合はＳＴ８５に移る。
ＳＴ８２において、現在設定されている使用印刷用紙設定サイズの１／２倍のサイズの用紙が使用可能であるか否かを判別する。例えば、現在設定されている使用印刷用紙設定サイズがＡ３である場合、Ａ３の半分の面積のＡ４の印刷用紙が使用可能であるか否かを判別する。イエス（Ｙ）の場合はＳＴ８３に移り、ノー（Ｎ）の場合はＳＴ８４に移る。
ＳＴ８３において、使用印刷用紙設定サイズを１／２倍のサイズの印刷用紙サイズに変更し、ＳＴ８４に移る。
【０１３２】
ＳＴ８４において、次の処理（１）、（２）を実行する。
（１）分割数を、分割印刷設定画面１で入力された変更後分割数に更新する。
（２）更新された分割数と使用印刷用紙設定サイズ及び糊代サイズに基づいて仕上がり用紙サイズを計算する。
そして、分割数設定処理を終了し、前記図８の分割設定処理のＳＴ３５に戻る。
ＳＴ８５において、変更前分割数が変更後分割数の１／２倍になっているか否かを判別する。イエス（Ｙ）の場合はＳＴ８６に移り、ノー（Ｎ）の場合はＳＴ８４に移る。
ＳＴ８６において、現在設定されている使用印刷用紙設定サイズの２倍のサイズの用紙が使用可能であるか否かを判別する。例えば、現在設定されている使用印刷用紙設定サイズがＡ４である場合、Ａ４の２倍の面積のＡ３の印刷用紙が使用可能であるか否かを判別する。イエス（Ｙ）の場合はＳＴ８７に移り、ノー（Ｎ）の場合はＳＴ８４に移る。
ＳＴ８７において、使用印刷用紙設定サイズを２倍のサイズの印刷用紙サイズに変更し、ＳＴ８４に移る。
【０１３３】
したがって、前記ＳＴ８１〜ＳＴ８７の分割数設定処理によって、分割印刷設定画面１で入力された分割数（変更後分割数）が、変更前分割数の２倍であり且つ１／２倍のサイズの用紙が使用可能である場合と、変更後分割数が変更前分割数の１／２倍であり且つ２倍のサイズの用紙が使用可能である場合に、分割数の変更に伴い使用印刷用紙設定サイズも自動変更される。例えば、使用印刷用紙がＡ３で分割数２の状態（図３に示す状態）で、分割数を４に変更した場合、印刷用紙がＡ４に自動的に変更される（図１１参照）。それ以外の場合は、使用印刷用紙が変更されず、分割数の増減に応じて、印刷用紙使用枚数が増減した仕上がり用紙の画像が分割印刷設定画面１に表示される。
【０１３４】
（使用用紙変更処理のサブルーチンの説明）
図１７は前記図８の分割設定処理における使用用紙変更処理のサブルーチンのフローチャートである。
図１７のＳＴ９１において、現在設定されている使用印刷用紙設定サイズ（変更前用紙サイズ）が、分割印刷設定画面１で選択入力された使用可能印刷用紙サイズ（変更後用紙サイズ）の１／２倍になっているか否かを判別する。例えば、現在設定されている使用印刷用紙設定サイズがＡ３である場合、Ａ３の半分の面積のＡ４の印刷用紙が選択されたか否かを判別する。イエス（Ｙ）の場合はＳＴ９２に移り、ノー（Ｎ）の場合はＳＴ９４に移る。
ＳＴ９２において、分割数（印刷用紙使用枚数設定値）を１／２倍の分割数に更新し、ＳＴ９３に移る。なお、本実施の形態では分割数は１，２，４に限定されているので、変更前の分割数が１である場合、分割数は更新されない。
【０１３５】
ＳＴ９３において、次の処理（１）、（２）が実行される。
（１）使用印刷用紙設定サイズを、分割印刷設定画面１で入力された変更後用紙サイズに更新する。
（２）更新された使用印刷用紙設定サイズや分割数、糊代サイズ等に基づいて仕上がり用紙サイズを計算する。
そして、使用用紙変更処理を終了し、前記図８の分割設定処理のＳＴ３７に戻る。
ＳＴ９４において、前記変更前用紙サイズが変更後用紙サイズの２倍になっているか否かを判別する。例えば、現在設定されている使用印刷用紙設定サイズがＡ４である場合、Ａ４の２倍の面積のＡ３の印刷用紙が選択されたか否かを判別する。イエス（Ｙ）の場合はＳＴ９５に移り、ノー（Ｎ）の場合はＳＴ９３に移る。
ＳＴ９５において、分割数（印刷用紙使用枚数設定値）を２倍の分割数に更新し、ＳＴ９３に移る。なお、本実施の形態では分割数は１，２，４に限定されているので、変更前の分割数が４である場合、分割数は８に更新されない。
【０１３６】
したがって、前記ＳＴ９１〜ＳＴ９５の使用用紙変更処理によって、分割印刷設定画面１で選択入力された印刷用紙のサイズ（変更後用紙サイズ）が、変更前用紙サイズの１／２倍である場合と、変更後用紙サイズが変更前用紙サイズの２倍である場合に、分割数が自動変更される。例えば、使用印刷用紙がＡ３で分割数２の状態（図３に示す状態）で、Ａ４の印刷用紙サイズを選択した場合、分割数が４に自動的に変更される（図１１参照）。それ以外の場合は、分割数が変更されず、選択された用紙サイズに応じた仕上がり用紙の画像が分割印刷設定画面１に表示される。
【０１３７】
（重なり順変更処理のサブルーチンの説明）
図１８は前記図８の分割設定処理における重なり順変更処理のサブルーチンのフローチャートである。
図１９は重なり順選択画面の説明図である。
図１８のＳＴ１０１において、分割印刷設定画面１で「用紙の重なり順設定」が選択された場合、図１９に示す重なり順選択画面がディスプレイＨ２に表示される。前記重なり順選択画面において、ユーザはキーボードＨ３やマウスＨ４等の入力装置によって重なり順（図１９における「左上横優先」等）の選択や、「ＯＫ」、「キャンセル」の選択、入力をすることができる。そしてＳＴ１０２に移る。
ＳＴ１０２において、重なり順選択画面において「ＯＫ」が選択入力されたか否かを判別する。ノー（Ｎ）の場合はＳＴ１０３に移り、イエス（Ｙ）の場合はＳＴ１０６に移る。
【０１３８】
ＳＴ１０３において、重なり順選択画面において「キャンセル」が選択入力されたか否かを判別する。ノー（Ｎ）の場合はＳＴ１０４に移り、イエス（Ｙ）の場合はＳＴ１１４に移る。
ＳＴ１０４において、重なり順選択画面において、重なり順（「左上横優先」等）が選択された入力があったか否かを判別する。イエス（Ｙ）の場合はＳＴ１０５に移り、ノー（Ｎ）の場合はＳＴ１０２に戻る。
ＳＴ１０５において、次の処理（１）、（２）を実行する。
（１）選択入力された重なり順（重ね合わせ順序）を一時記憶する。
（２）選択された重なり順の重なり順選択画面における表示を更新する。
そして、ＳＴ１０２に戻る。
【０１３９】
ＳＴ１０６において、前記ＳＴ１０５の処理によって一時記憶されたデータがあるか否かを判別する。イエス（Ｙ）の場合はＳＴ１０７に移り、ノー（Ｎ）の場合は、重なり順選択画面が閉じられて重なり順変更設定処理を終了し、図８の分割設定処理のＳＴ３９に戻る。
ＳＴ１０７において、重なり順をＳＴ１０５の処理で一時記憶された重なり順に更新し、ＳＴ１０８に移る。
ＳＴ１０８において、両面印刷が指定されているか否かを判別する。イエス（Ｙ）の場合はＳＴ１０９に移り、ノー（Ｎ）の場合はＳＴ１１２に移る。
ＳＴ１０９において、上下綴じが選択されているか否かを判別する。イエス（Ｙ）の場合はＳＴ１１０に移り、ノー（Ｎ）の場合はＳＴ１１１に移る。
【０１４０】
図２０は前記図１８の重なり順変更処理において使用される表裏対応テーブルの説明図である。
ＳＴ１１０において、図２０に示す表裏対応テーブルから、更新された仕上がり用紙表面の重なり順に対応する裏面（上下綴じ）の重なり順を、仕上がり用紙裏面の重なり順として設定し更新する。そして、ＳＴ１１２に移る。
ＳＴ１１１において、図２０に示す表裏対応テーブルから、更新された仕上がり用紙表面の重なり順に対応する裏面（左右綴じ）の重なり順を、仕上がり用紙裏面の重なり順として設定し更新する。そして、ＳＴ１１２に移る。
ＳＴ１１２において、更新された重なり順に応じて、各用紙に付与されていた重なり順番号を更新する。両面印刷の場合は、各用紙の表面及び裏面それぞれの重なり順番号が更新される。このとき、重なり順に応じて印刷用紙毎に糊代の位置、即ち、印刷用紙のどの方向に重なり順番号何番目の用紙が重なるかを用紙毎に記憶される。そして、重なり順選択画面が閉じられて重なり順変更設定処理を終了し、図８の分割設定処理のＳＴ３９に戻る。
ＳＴ１１３において、重なり順選択画面において「キャンセル」が選択入力された場合、ＳＴ１０５の処理で一時記憶されたデータ（重なり順）が消去される。そして、重なり順選択画面が閉じられて重なり順変更設定処理を終了し、図８の分割設定処理のＳＴ３９に戻る。
【０１４１】
したがって、前記ＳＴ１０１〜ＳＴ１１３の重なり順変更処理によって、重なり順選択画面で選択された重なり順に応じて重なり順及び重なり順番号が更新される。例えば、図１１に示す「左上縦優先」の重なり順から、「右上縦優先」の重なり順に変更された場合、重なり順及び重なり順番号が更新され、図１２に示すように仕上がり用紙画像６及び重なり順番号表示画像６ａが更新される。
また、両面印刷の場合、表面及び裏面の重なり順番号が更新される。なお、両面印刷の場合、表面の重なり順が決まると裏面の重なり順が自動的に決まるが、綴じ位置によって裏面側の画像を１８０°回転させるので、左右綴じと上下綴じで分割印刷設定画面１で表示される重なり順が異なる。
【０１４２】
（余白最小設定処理のサブルーチンの説明）
図２１は前記図８の分割設定処理における余白最小設定処理のサブルーチンのフローチャートである。
図２１のＳＴ１２１において、画像サイズ（元画像用紙サイズ）が仕上がり用紙サイズ（仕上がり用紙サイズ）以下のサイズであるか否かを判別する。イエス（Ｙ）の場合はＳＴ１２２に移り、ノー（Ｎ）の場合はＳＴ１２３に移る。
ＳＴ１２２において、次の処理（１）、（２）を実行する。
（１）（使用印刷用紙設定サイズ（用紙サイズ）の横方向長さ）×２―（画像サイズの横方向長さＧｙ）の値を左右方向の糊代幅に設定する。
（２）（用紙サイズの縦方向長さ）×２―（画像サイズの縦方向長さＧｔ）の値を上下方向の糊代幅に設定する。
そして、余白最小設定処理を終了して図８のＳＴ４１に戻る。
ＳＴ１２３において、分割印刷設定画面１に「余白最小設定不可」のエラーメッセージ画像を表示して、ユーザに告知する。そして、余白最小設定処理を終了して図８のＳＴ４１に戻る。
【０１４３】
したがって、前記ＳＴ１２１〜ＳＴ１２３の余白最小設定処理によって、余白が最小になるように糊代幅が自動計算され設定される。例えば、図１１に示す状態から使用印刷用紙設定サイズをＢ５に変更後、余白最小設定を選択した場合、図１３に示すように、画像サイズと仕上がり用紙サイズとが同一になるように、上下方向の糊代サイズが１０ｍｍから９４ｍｍ（＝（印刷用紙の縦方向長さ、Ｂ４の短辺長さ）２５７ｍｍ×２−４２０ｍｍ（画像サイズＡ２の縦方向長さ））に自動設定され、左右方向の糊代サイズが２０ｍｍから１３４ｍｍ（＝（印刷用紙の横方向長さ、Ｂ４の長辺長さ）３６４ｍｍ×２−５９４ｍｍ（画像サイズＡ２の縦方向長さ））に自動設定される。なお、前記ＳＴ１２３のエラーメッセージ表示処理に替えて、前記ＳＴ２９の倍率自動設定処理を実行することによって、前記元画像用紙サイズよりも仕上がり用紙のサイズ（仕上がり用紙サイズ）が小さな場合に、前記倍率自動設定選択画像８ａが選択された時と同様に、余白が最小になるように倍率ａを自動調節するよう処理することも可能である。
【０１４４】
（プリンタサーバのフローチャート）
図２２は本発明の実施の形態１の印刷処理システムのプリンタサーバにおける処理のメインフローチャートである。
図２２のフローチャートの各ＳＴ（ステップ）の処理は、前記プリンタサーバＰＳのＣＰＵの処理に従って実行される。
図２２のフローチャートは、プリンタサーバＰＳの電源がオンになった時に開始される。
【０１４５】
図２２のＳＴ２０１において、前記図６に示すメイン画面１１を表示し、ＳＴ２０２に移る。
ＳＴ２０２において、クライアントパソコンＰＣからの送信用印刷データを受信したか否か（データ入力があったか否か）を判別する。イエス（Ｙ）の場合はＳＴ２０３に移り、ノー（Ｎ）の場合はＳＴ２１２に移る。なお、このとき、受信した印刷データの情報（印刷データを送信したクライアントパソコンＰＣの識別情報や、受信した日時、全ページ数等）がメイン画面１１の保持ジョブ表示画像１１ｄに受信した順にリスト表示される。
ＳＴ２０３において、受信印刷データ（ジョブ）がジョブ保持指定されているか否かを判別する。イエス（Ｙ）の場合はＳＴ２０４に移り、ノー（Ｎ）の場合はＳＴ２０６に移る。
【０１４６】
ＳＴ２０４において、受信印刷データがジョブ保持指定されているので、受信印刷データをジョブ保持用メモリにコピーする。なお、このとき、メイン画面１１の保持ジョブ表示画像１１ｄにリスト表示された受信印刷データのうち、ジョブ保持が指定された印刷データにはジョブ保持指定がされたことを表示するためにチェックボックスにチェックが付される。
そしてＳＴ２０５に移る。
ＳＴ２０５において、ジョブ保持指定された受信印刷データが印刷するよう指定されているか否かを判別する。イエス（Ｙ）の場合はＳＴ２０６に移り、ノー（Ｎ）の場合はＳＴ２０８に移る。即ち、印刷データを送信する際に分割印刷の設定ができない本実施の形態のワークステーションＷＳ等から分割印刷を実行したい場合、印刷データ送信時にジョブの保持の指定をし且つ印刷しないよう指定することで、プリンタサーバの分割印刷設定画面１で分割印刷の設定をして分割印刷することができる。
【０１４７】
したがって、前記ＳＴ２０２〜ＳＴ２０５の処理によって、受信印刷データにジョブ保持の指定及び印刷の指定が含まれているか判別され、ジョブ保持の処理（ＳＴ２０４）が実行され、これに伴いメイン画面１１の表示が更新される。プリンタサーバＰＳのメイン画面１１において、受信印刷データは受信した順に保持ジョブ表示画像１１ｄにリスト表示され、受信時期の古い印刷データから順に印刷される。印刷される際には、印刷ジョブ表示画像１１ａの部分に受信印刷データの情報が表示されるよう印刷ジョブ表示画像１１ａが更新される。ジョブ保持の指定がされていない場合、印刷時に、印刷ジョブ表示画像１１ａに情報が表示されると共に、保持ジョブ表示画像１１ｄのリストから印刷される受信印刷データの情報が消去される。
【０１４８】
ＳＴ２０６において、印刷される受信印刷データに分割印刷の指定があるか否か（即ち、印刷される受信印刷データに分割印刷指定データが含まれているか否か）を判別する。イエス（Ｙ）の場合はＳＴ２０７に移り、ノー（Ｎ）の場合はＳＴ２０９に移る。
ＳＴ２０７において、元画像が分割して印刷される各印刷用紙の画像記録領域を演算して、各印刷用紙に印刷される分割画像データを作成しプリンタＰｒに送信する分割印刷処理（後述の図２３のサブルーチン参照）が実行され、ＳＴ２０８に移る。
ＳＴ２０８において、プリンタサーバの電源がオフになったか否かを判別する。イエス（Ｙ）の場合はプリンタサーバにおける処理を終了し、ノー（Ｎ）の場合はＳＴ２０２に戻り、クライアントパソコンＰＣ等からの入力（送信用印刷データの受信）や、プリンタサーバＰＳの入力装置（キーボードＤ３やマウスＤ４）によるユーザの入力を待つ。
【０１４９】
ＳＴ２０９において、画像サイズ（元画像用紙サイズ）に対応する印刷用紙が使用可能であるか否かを判別する。例えば、元画像がＡ３サイズである場合に、Ａ３の印刷用紙が使用可能であるか否か（プリンタＰｒでＡ３が使用可能な用紙として認識されているか、給紙トレイの用紙が無くなっていないか等）を判別する。イエス（Ｙ）の場合はＳＴ２１０に移り、ノー（Ｎ）の場合はＳＴ２１１に移る。
ＳＴ２１０において、画像サイズに応じた印刷画像データが作成されプリンタに送信される。即ち、画像サイズに対応する印刷用紙が使用可能であるので、分割印刷されず通常の印刷が行われる。この印刷画像データを受信したプリンタＰｒでは、画像サイズに対応する印刷用紙に受信した印刷画像データが印刷される。そしてＳＴ２０８に移る。
ＳＴ２１１において、次の処理（１）、（２）が実行される。
（１）印刷対象の受信印刷データをエラージョブとして登録する。
（２）受信印刷データをエラージョブ用メモリに記憶する。
即ち、画像サイズに対応する印刷用紙が使用できず、印刷が実行できないので、印刷対象の受信印刷データをエラージョブとして印刷しないよう処理し、保持ジョブにリストされている次の受信印刷データの印刷処理を実行する。
そしてＳＴ２０８に移る。
【０１５０】
ＳＴ２１２において、メイン画面１１において、ジョブ保持の指定がされた受信印刷データまたはエラージョブに登録された受信印刷データのうち、ユーザが指定した作業対象ジョブ（後述のＳＴ２１８参照）の「印刷開始」（図６の作業アイコン表示画像１１ｆ参照）が選択されたか否かを判別する。イエス（Ｙ）の場合はＳＴ２０６に移り、ノー（Ｎ）の場合はＳＴ２１３に移る。
ＳＴ２１３において、メイン画面１１において、作業対象ジョブの「分割印刷設定」が選択されたか否かを判別する。イエス（Ｙ）の場合はＳＴ２１４に移り、ノー（Ｎ）の場合はＳＴ２１５に移る。
ＳＴ２１４において、プリンタサーバＰＳのディスプレイＤ２に分割印刷設定画面１が表示され、前記図７のクライアントパソコンＰＣの印刷設定処理のＳＴ８の分割設定処理（前記図８のサブルーチン）と同様の分割設定処理が作業対象ジョブに対して実行される。そしてＳＴ２０２に戻る。
【０１５１】
ＳＴ２１５において、作業対象ジョブの「ジョブ消去」が選択されたか否かを判別する。イエス（Ｙ）の場合は、ＳＴ２１６に移り、ノー（Ｎ）の場合はＳＴ２１７に移る。
ＳＴ２１６において、作業対象ジョブの受信印刷データを消去する。即ち、ジョブ保持の指定がされた印刷データの消去が選択された場合、ジョブ保持用メモリの受信印刷データが消去され、エラージョブの消去が選択された場合、エラージョブ用メモリの受信印刷データが消去される。そしてＳＴ２０２に戻る。
ＳＴ２１７において、メイン画面１１において、保持ジョブ表示画像１１ｄまたはエラージョブ表示画像１１ｅにリスト表示されたジョブのいずれかを指定する入力があったか否かを判別する。イエス（Ｙ）の場合はＳＴ２１８に移り、ノー（Ｎ）の場合はＳＴ２０２に戻る。
ＳＴ２１８において、指定されたジョブを作業対象ジョブとして記憶し、メイン画面１１の表示を更新する。
【０１５２】
したがって、前記ＳＴ２１２〜ＳＴ２１８の処理によって、ジョブ保持の指定があったジョブ（受信印刷データ）やエラージョブに対して、分割印刷の設定や印刷の開始、ジョブの消去等の作業をプリンタサーバＰＳで実行することができる。なお、全てのクライアントパソコンＰＣ等で分割設定処理が実行できる場合や、プリンタサーバＰＳで分割印刷設定をしなくても良い場合は、前記ＳＴ２１１３、ＳＴ２１４の処理を設ける必要はない。また、プリンタサーバＰＳで分割印刷の設定やその他の設定等を行わない等の理由でジョブの保持をしなくても良い場合、ＳＴ２０３，ＳＴ２０４等の処理を省略することもできる。
【０１５３】
（分割印刷処理のサブルーチンの説明）
図２３は前記図２２のプリンタサーバの処理における分割印刷処理のサブルーチンのフローチャートである。
図２３のＳＴ２２１において、両面印刷が指定されているか否か（受信印刷データに両面印刷指定データが含まれているか否か）を判別する。ノー（Ｎ）の場合はＳＴ２２２に移り、イエス（Ｙ）の場合はＳＴ２２３に移る。
ＳＴ２２２において、片面印刷指定の受信印刷データの印刷パラメータ（倍率ａ、使用印刷用紙設定サイズ（使用用紙サイズ）、印刷用紙使用枚数設定値（分割数）、重ね合わせ順序（重なり順）、糊代幅、糊代位置、重なり順番号等）を読み取り、ＳＴ２２６に移る。
ＳＴ２２３において、両面印刷指定の受信印刷データの印刷パラメータ（倍率ａ、使用印刷用紙設定サイズ（使用用紙サイズ）、印刷用紙使用枚数設定値（分割数）、重ね合わせ順序（重なり順）、糊代幅、綴じ位置等）を読み取り、ＳＴ２２４に移る。なお、このとき、裏面側の印刷パラメータのうち、使用用紙サイズ、分割数、糊代幅、綴じ位置のいずれか又は全てが設定されていない場合、表面側の印刷パラメータと同じ値に自動的に設定する。また、裏面の重なり順が設定されていない場合、前記図２０の表裏対応テーブルから裏面の重なり順及び重なり順番号を自動設定する。
【０１５４】
ＳＴ２２４において、上綴じが指定されているか否かを判別する。イエス（Ｙ）の場合はＳＴ２２５に移り、ノー（Ｎ）の場合はＳＴ２２６に移る。
ＳＴ２２５において、両面印刷時で上綴じの場合、裏面になる元画像及び仕上がり用紙のデータ（例えば、偶数ページの画像データ）を上下１８０°回転させる。そして、ＳＴ２２６に移る。
ＳＴ２２６において、仕上がり用紙表面の各印刷用紙の画像記録領域を演算して設定するための画像記録領域設定処理（後述の図２４のサブルーチン参照）を実行する。そしてＳＴ２２７に移る。
ＳＴ２２７において、ＳＴ２２６で印刷用紙毎に設定された表面の画像記録領域に表面側分割画像データが割り付けられ、割り付けられた分割画像データを作成し（ビットマップデータを作成し）、表面側分割印刷用ページメモリに展開して記憶する。そしてＳＴ２２８に移る。
【０１５５】
ＳＴ２２８において、両面印刷が指定されているか否かを判別する。即ち、裏面の画像記録領域の設定及び分割画像データの作成が必要が否かを判別する。イエス（Ｙ）の場合はＳＴ２２９に移り、ノー（Ｎ）の場合はＳＴ２３１に移る。
ＳＴ２２９において、裏面の画像データに対して、前記ＳＴ２２６と同様に画像記録領域設定処理（後述の図２４のサブルーチン参照）を実行する。そして、ＳＴ２３０に移る。
ＳＴ２３０において、裏面の画像データに対して、前記ＳＴ２２７と同様に裏面側分割画像データを割り付け、割り付けられた分割画像データを作成し、裏面側分割印刷用ページメモリに展開して記憶する。そしてＳＴ２３１に移る。
ＳＴ２３１において、各印刷用紙の表面（両面印刷時は表面及び裏面）のページメモリに展開された分割画像データをプリンタＰｒに送信する。そして、分割印刷処理を終了して、図２２のプリンタサーバＰＳの処理のＳＴ２０７に戻る。
【０１５６】
なお、前記分割画像データを受信したプリンタＰｒは、使用印刷用紙設定サイズの印刷用紙に前記分割画像を印刷する。前記ＳＴ２２１〜ＳＴ２３１の分割印刷処理では、分割された全てのページに対する分割印刷画像データを作成した後、一括してプリンタＰｒに送信しているが、１ページ作成する度にプリンタＰｒに送信するよう構成することも可能である。また、本実施の形態では、両面印刷時は表面の分割画像データを作成した後、裏面の分割画像データを作成しているが、印刷されるページの順番に従って、重なり順番号１番目の表面→重なり順番号４番目の裏面→重なり順番号２番目の表面→重なり順番号３番目の裏面→…の順に分割画像データを作成し、その都度プリンタＰｒに送信するよう構成することも可能である。
【０１５７】
（画像記録領域設定処理のサブルーチンの説明）
図２４は前記図２３の分割印刷処理における画像記録領域設定処理のサブルーチンのフローチャートである。
図２４のＳＴ２４１において、重なり順番号に基づいて、使用印刷用紙に用紙番号Ｎｙを付与する。例えば、印刷用紙を４枚使用する場合（４枚で分割印刷する場合）、重なり順番号１の使用印刷用紙の用紙番号を１とし、重なり順番号４の使用用紙の用紙番号を４とする。そして、ＳＴ２４２に移る。
ＳＴ２４２において、全使用印刷用紙に対して、画像記録領域の縦・横の幅として、使用印刷用紙サイズの縦・横の幅を設定する。例えば、使用印刷用紙がＡ４である場合、画像記録領域の縦の幅として２１０ｍｍ（Ａ４サイズの短辺長さ）を初期設定し、画像記録領域の横の幅として２９７ｍｍ（Ａ４サイズの長辺長さ）を初期設定する。そして、ＳＴ２４３に移る。
【０１５８】
ＳＴ２４３において、幅決定対象用紙（画像記録領域の幅を決定する印刷用紙）として用紙番号Ｎｙ＝１の印刷用紙を設定する。そしてＳＴ２４４に移る。
ＳＴ２４４において、幅決定対象用紙の幅決定対象方向（画像記録領域の幅を決定する方向）として上方向を設定する。そしてＳＴ２４５に移る。
ＳＴ２４５において、幅決定対象方向に重なる用紙があるか否かを判別する。イエス（Ｙ）の場合はＳＴ２４６に移り、ノー（Ｎ）の場合はＳＴ２４８に移る。
ＳＴ２４６において、幅決定対象方向に重なる用紙の用紙番号が幅決定対象用紙の用紙番号Ｎｙより小さいか否かを判別する。イエス（Ｙ）の場合はＳＴ２４７に移り、ノー（Ｎ）の場合はＳＴ２４８に移る。
ＳＴ２４７において、幅決定対象用紙の画像記録領域に対し、幅決定対象方向から糊代幅分（幅決定対象方向が上方向又は下方向の場合、上下方向糊代幅）を差し引いた領域を新たな画像記録領域として設定する。そして、ＳＴ２４８に移る。
【０１５９】
ＳＴ２４８において、幅決定対象方向を右に隣接する方向に変更する。例えば、現在の幅決定対象方向が「上方向」の場合は「右方向」に変更し、「右方向」の場合は「下方向」に変更する。そして、ＳＴ２４９に移る。
ＳＴ２４９において、幅決定対象方向が「上方向」であるか否かを判別する。イエス（Ｙ）の場合はＳＴ２５０に移り、ノー（Ｎ）の場合はＳＴ２４５に戻る。
ＳＴ２５０において、幅決定対象用紙に用紙番号Ｎｙ＝Ｎｙ＋１の用紙を設定する。そして、ＳＴ２５１に移る。
ＳＴ２５１において、用紙番号Ｎｙが分割数（印刷用紙使用枚数設定値）よりも大きいか否かを判別する。ノー（Ｎ）の場合はＳＴ２４４に戻り、イエス（Ｙ）の場合は画像記録領域設定処理を終了して、前記図２３のＳＴ２２６又はＳＴ２２９に戻る。
【０１６０】
したがって、前記ＳＴ２４１〜ＳＴ２５１の画像記録領域設定処理によって、分割印刷時に使用される各印刷用紙の上方向、右方向、下方向及び左方向に糊代があるか否かが判別され、糊代がある場合は画像記録領域が糊代幅分差し引かれる。そして、両面印刷の場合、表面及び裏面それぞれに対してＳＴ２４１〜ＳＴ２５１の処理が行われ、表面及び裏面それぞれに対して画像記録領域の設定が行われる。
【０１６１】
（実施の形態１の作用）
前記構成を備えた実施の形態１の印刷処理システムＳでは、クライアントパソコンＰＣで分割印刷の設定がされた場合、印刷パラメータが含まれる送信用印刷データがプリンタサーバＰＳに送信される。前記送信用印刷データを受信したプリンタサーバＰＳでは、前記印刷パラメータに基づいて、印刷用紙毎に画像記録領域が設定され、画像記録領域に応じて元画像が分割された分割画像データが作成されプリンタＰｒに送信される。また、分割印刷の設定がされず、分割印刷用の印刷パラメータを含まない送信用印刷データをプリンタサーバＰＳが受信した場合でも、送信時にジョブ保持の指定等をすることにより、プリンタサーバＰＳの入力装置によって分割印刷の設定を行い、分割印刷用の印刷パラメータを含む受信印刷データを作成することができる。
【０１６２】
そして、プリンタサーバＰＳでは、前記受信印刷データの印刷パラメータに基づいて、印刷用紙毎に画像記録領域が設定され、画像記録領域に応じて元画像が分割された分割画像データが作成されプリンタＰｒに送信される。前記分割画像データを受信したプリンタＰｒは、前記分割画像データを使用印刷用紙設定サイズの印刷用紙に印刷する。そして、前記印刷された画像印刷用紙を糊代で貼り合わせることによって、分割印刷設定画面１で設定した元画像Ｇまたは倍率乗算画像Ｇ′を得ることができる。
【０１６３】
また、前記実施の形態１の印刷処理システムＳでは、実際に印刷する前に、クライアントパソコンＰＣ又はプリンタサーバＰＳのディスプレイＨ２、Ｄ２に表示される分割印刷設定画面１の表示を確認しながら、使用印刷用紙サイズや分割数、糊代幅や倍率ａ、重ね合わせ順序や仕上がり用紙サイズ等の印刷パラメータを調整することができる。さらに、倍率ａの自動設定により画像を拡大又は縮小したり、余白を最小にする自動設定により糊代幅を自動的に調節することによって、仕上がり用紙において余白を無くす又は少なくすることができ、余白を裁断する手間や用紙の無駄を無くすことができる。したがって、作業効率が高まり、コストを抑えることもできる。
【０１６４】
また、両面印刷時には、表面および裏面のそれぞれに対し画像記録領域を演算して設定するので、画像が印刷された用紙を貼り合わせた時に表面及び裏面の画像が連続するよう印刷することができる。また、上下綴じの場合、画像データを回転した後に画像記録領域の設定及び分割画像データの割付を行うので、上下綴じの場合でも表面及び裏面で画像が連続するように印刷することができ、綴じられた仕上がり用紙束を見開いた時に、印刷された画像の上下を元画像の上下に一致させることができる。
さらに、元画像の用紙サイズ及び使用可能用紙サイズに基づいて、使用印刷用紙設定サイズおよび分割数が自動的に設定することもできるので、自動設定された使用印刷用紙設定サイズおよび分割数を参考にしながら設定することができる。したがって、使用印刷用紙設定サイズの選択や分割数の入力を最初からしなければならない場合と比較して、作業効率を高めることができる。
【０１６５】
また、ＳＴ２２３の処理のように、裏面の印刷パラメータの設定がされていない場合、表面側の印刷パラメータの各設定値に基づいて裏面側の各設定値が自動的に設定されるので、作業効率が高まる。また、使用印刷用紙サイズ設定値や使用印刷用紙枚数設定値、重ね合わせ順序、糊代幅等が、表面側と裏面側で矛盾することを防止できる。
【０１６６】
（片面印刷時の分割印刷の一例）
図２５は図１３に示す分割印刷の設定で印刷を実行した場合に印刷される画像印刷用紙の説明図であり、図２５Ａは重なり順番号１番目の画像印刷用紙の説明図、図２５Ｂは重なり順番号２番目の画像印刷用紙の説明図、図２５Ｃは重なり順番号３番目の画像印刷用紙の説明図、図２５Ｄは重なり順番号４番目の画像印刷用紙の説明図である。
図２６は、前記図２５の画像印刷用紙を糊代で貼り合わせた後の仕上がり用紙の説明図である。
なお、前記図２５及び図２６において、各画像印刷用紙又は仕上がり用紙に付された点線は糊代と画像記録領域との境界を示す仮想線であり、実際には印刷されない。
前記実施の形態１の印刷処理システムＳにおいて、前記図１３に示す分割印刷設定画面１に表示された設定で印刷した場合、図２５Ａ〜図２５Ｄのように分割印刷される。そして、前記図２５Ａ〜図２５Ｄの画像印刷用紙を重なり順番号に基づいて糊代で貼り合わせることによって、仕上がり用紙サイズＡ２、倍率１００％の印刷画像を得ることができる。なお、片面印刷の場合、前記重なり順番号を裏面に印刷してユーザが貼り合わせる際に参照できるようにすることも可能である。
【０１６７】
（上下綴じ・両面印刷時の分割印刷の一例）
図２７は、前記図３７の元画像に対して分割印刷の設定を行う場合に表示される上綴じ時両面印刷用分割印刷設定画面の説明図である。
図２８は、前記図２７の上綴じ時両面印刷用分割印刷設定画面において、用紙サイズを変更し、余白を最小にする選択を行った場合の上綴じ時両面印刷用分割印刷設定画面の説明図である。
図２９は前記図２８に示す印刷パラメータで両面印刷した場合に印刷される画像印刷用紙表面の説明図であり、図２９Ａは表面側の重なり順番号１番目の画像印刷用紙の説明図、図２９Ｂは表面側の重なり順番号２番目の画像印刷用紙の説明図、図２９Ｃは表面側の重なり順番号３番目の画像印刷用紙の説明図、図２９Ｄは表面側の重なり順番号４番目の画像印刷用紙の説明図である。
【０１６８】
図３０は前記図２８に示す印刷パラメータで両面印刷した場合に印刷される画像印刷用紙裏面の説明図であり、図３０Ａは前記図２９Ａの画像印刷用紙の裏面の説明図、図３０Ｂは前記図２９Ｂの画像印刷用紙の裏面の説明図、図３０Ｃは前記図２９Ｃの画像印刷用紙の裏面の説明図、図３０Ｄは前記図２９Ｄの画像印刷用紙の裏面の説明図である。
図３１は前記図２９及び図３０の画像印刷用紙を糊代領域で貼り合わせた状態を示す説明図であり、図３１Ａは表面の画像を示す図、図３１Ｂは裏面の画像を示す図である。
【０１６９】
本実施の形態の印刷処理システムＳにおいて、前記図３７に示す元画像を上綴じ指定で両面印刷する場合、図２７に示す上綴じ時両面印刷用分割印刷設定画面１が表示される。そして、前記図２７の上綴じ時両面印刷用分割印刷設定画面１において印刷用紙をＢ４に設定した後、余白を最小にする選択を行った場合、自動的に図２８に示す各印刷パラメータに設定される。そして、前記図２８に示す印刷パラメータで印刷を実行すると、図２９及び図３０に示す画像が印刷される。即ち、裏面側の画像（図３７Ｂ参照）が１８０°回転し、表面の重なり順番号１の印刷用紙には図２９Ａに示す画像が割り付けられて印刷され、その裏面には図３０Ａに示す裏面の重なり順番号４の画像が割り付けられて印刷されている。
【０１７０】
同様に、表面の重なり順番号２の画像（図２９Ｂ参照）の裏面には裏面の重なり順番号３の画像（図３０Ｂ参照）、表面の重なり順番号３の画像（図２９Ｃ参照）の裏面には裏面の重なり順番号２の画像（図３０Ｃ参照）、表面の重なり順番号４の画像（図２９Ｄ参照）の裏面には裏面の重なり順番号１の画像（図３０Ｄ参照）がそれぞれ印刷されている。
そして、前記重なり順に応じて糊代で貼り合わせることによって、表面に図３１Ａに示す仕上がり用紙サイズＡ２、倍率１００％の印刷画像が形成され、裏面に図３１Ｂに示す仕上がり用紙サイズＡ２、倍率１００％の印刷画像が形成される。したがって、図３１に示すように表面及び裏面においてズレがなく連続した印刷画像が形成され、図３１Ａの上端で綴じられる上下綴じでは、上下方向に見開いた時に、図３１Ｂの画像の上下が逆転し、図２８の裏面に表示された元画像と上下方向及び左右方向が一致する。
【０１７１】
（左右綴じ・両面印刷時の分割印刷の一例）
図３２は、前記図３７の元画像に対して分割印刷の設定を行う場合に表示される左右綴じ時両面印刷用分割印刷設定画面の説明図である。
図３３は、前記図３２の左右綴じ時両面印刷用分割印刷設定画面において、用紙サイズを変更し、余白を最小にする選択を行った場合の左右綴じ時両面印刷用分割印刷設定画面の説明図である。
図３４は前記図３３に示す印刷パラメータで両面印刷した場合に印刷される画像印刷用紙表面の説明図であり、図３４Ａは表面側の重なり順番号１番目の画像印刷用紙の説明図、図３４Ｂは表面側の重なり順番号２番目の画像印刷用紙の説明図、図３４Ｃは表面側の重なり順番号３番目の画像印刷用紙の説明図、図３４Ｄは表面側の重なり順番号４番目の画像印刷用紙の説明図である。
【０１７２】
図３５は前記図３３に示す印刷パラメータで両面印刷した場合に印刷される画像印刷用紙裏面の説明図であり、図３５Ａは前記図３４Ａの画像印刷用紙の裏面説明図、図３５Ｂは前記図３４Ｂの画像印刷用紙の裏面の説明図、図３５Ｃは前記図３４Ｃの画像印刷用紙の裏面の説明図、図３５Ｄは前記図３４Ｄの画像印刷用紙の裏面の説明図である。
図３６は前記図３４及び図３５の画像印刷用紙を糊代領域で貼り合わせた状態を示す説明図であり、図３６Ａは表面の画像を示す図、図３６Ｂは裏面の画像を示す図である。
【０１７３】
本実施の形態の印刷処理システムＳにおいて、前記図３７に示す元画像を左右綴じ指定で両面印刷する場合、図３２に示す左右綴じ時両面印刷用分割印刷設定画面１が表示される。そして、前記図３２の左右綴じ時両面印刷用分割印刷設定画面１において印刷用紙をＢ４に設定した後、余白を最小にする選択を行った場合、自動的に図３３に示す印刷パラメータに設定される。そして、前記図３３に示す印刷パラメータで印刷を実行すると、図３４及び図３５に示す画像が印刷される。即ち、上下綴じの場合と異なり裏面側の画像が１８０°回転せず、表面の重なり順番号１の印刷用紙には図３４Ａに示す画像が割り付けられて印刷され、その裏面には図３５Ａに示す裏面の重なり順番号４の画像が割り付けられて印刷されている。
【０１７４】
同様に、表面の重なり順番号２の画像（図３４Ｂ参照）の裏面には裏面の重なり順番号３の画像（図３５Ｂ参照）、表面の重なり順番号３の画像（図３４Ｃ参照）の裏面には裏面の重なり順番号２の画像（図３５Ｃ参照）、表面の重なり順番号４の画像（図３４Ｄ参照）の裏面には裏面の重なり順番号１の画像（図３５Ｄ参照）がそれぞれ印刷されている。
そして、前記重なり順に応じて糊代で貼り合わせることによって、表面に図３６Ａに示す仕上がり用紙サイズＡ２、倍率１００％の印刷画像が形成され、裏面に図３６Ｂに示す仕上がり用紙サイズＡ２、倍率１００％の印刷画像が形成される。したがって、図３６に示すように表面及び裏面においてズレがなく連続した印刷画像が形成され、図３６Ａの左端又は右端で綴じられる左右綴じでは、左右方向に見開いた時に元画像と上下方向及び左右方向が一致する。
【０１７５】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例（Ｈ０１）〜（Ｈ０１０）を下記に例示する。
（Ｈ０１）前記実施の形態において、クライアントパソコンＰＣにおいて分割設定処理を実行せず、プリンタサーバＰＳのみで分割設定処理を実行するよう構成することも可能である。また、逆に、ワークステーションＷＳやデータベースサーバＤＢＳ等で分割設定処理を実行可能に構成することも可能である。
（Ｈ０２）前記実施の形態において、前記プリンタサーバＰＳの分割印刷処理等の全ての処理をクライアントパソコンＰＣで実行可能に構成し、プリンタサーバＰＳを省略して、クライアントパソコンＰＣにプリンタを直接接続するよう構成することも可能である。
【０１７６】
（Ｈ０３）前記実施の形態において、プリンタサーバＰＳにおけるＳＴ２０６〜ＳＴ２１０等の印刷処理をプリンタＰｒで実行し、その他のプリンタサーバＰＳの処理をクライアントパソコンＰＣで実行するよう構成することによってプリンタサーバＰＳを省略することも可能である。
（Ｈ０４）前記実施の形態において、スキャナで読み取った元画像データのサイズに基づいて、分割設定処理のＳＴ２１の自動設定処理と、ＳＴ２９の倍率自動設定処理を連続して実行して、ＳＴ２０７の分割印刷処理で分割して画像を形成する画像処理装置（複写機）として構成することも可能である。
【０１７７】
（Ｈ０５）前記実施の形態において、印刷形式設定プログラムＰ１や印刷データ作成プログラムＰ２は、ハードディスクドライブ以外のコンピュータが読取り可能な記憶媒体（光磁気ディスク装置、光ディスク装置、磁気ディスク装置あるいはメモリスロット等）に記憶したり、可搬型の記録媒体（フレキシブルディスクや光磁気ディスク、光ディスク、磁気ディスク、フラッシュメモリ等）に記憶することも可能である。また、例えばネットワークなどの通信手段を介して各プログラムをクライアントパソコンＰＣ等に転送し、クライアントパソコンＰＣ内の記憶媒体に格納して実行させることも可能である。
（Ｈ０６）前記実施の形態において、分割印刷時に使用される印刷用紙は全て同じ用紙を使用したが、異なるサイズの用紙を混在させて使用することも可能である。例えば、図３において、重なり順番号１の用紙をＡ３とし、重なり順番号２の用紙をＢ４横２枚（この場合、重なり順番号２，３となる）に設定することも可能である。
【０１７８】
（Ｈ０７）前記実施の形態において、両面印刷時に表面と裏面に印刷される元画像用紙サイズは同一のものに限定されず、例えば、表面にＡ２の元画像、裏面にＢ２の元画像を配置し、仕上がり用紙サイズに応じて、表面及び裏面のいずれか一方又は両方の倍率をそれぞれ設定し、印刷するよう構成することも可能である。
（Ｈ０８）前記実施の形態において、綴じ位置は、「上下綴じ」と「左右綴じ」の２つの設定であったが、「上綴じ」、「下綴じ」、「左綴じ」、「右綴じ」を設定するよう構成することも可能である。
（Ｈ０９）前記実施の形態において、印刷用紙は四角形のものに限定されず、多角形（五角形や六角形）の印刷用紙を使用することも可能である。たとえば、五角形と六角形の印刷用紙に分割印刷することによって、貼り合わせ後にサッカーボール状の表面に元画像が印刷されるよう構成したり、世界地図を分割して印刷することによって貼り合わせ後地球儀状になるよう構成することも可能である。
【０１７９】
（Ｈ０１０）前記実施の形態の図１９において、ユーザが「左上横優先」、「右上横優先」、「左上縦優先」、「右上縦優先」、「左下横優先」、「右下横優先」、「左下縦優先」、「右下縦優先」のいずれかを選択するよう構成したが、これ以外の選択肢を設定可能にしたり、ユーザが直接重なり順番号を入力して重ね合わせ順序を任意の順序（例、時計回り等）に設定するよう構成することも可能である。重ね合わせ順序（重なり順、貼り合わせ順）を任意に選択できる場合、仕上がり用紙において、元画像が分割される位置を調節することができ、分割したくない画像部分の分割を最小にできる。
【０１８０】
【発明の効果】
前述の本発明は、下記の効果（Ｋ０１）〜（Ｋ０４）を奏することができる。
（Ｋ０１）糊代幅を調節可能にすることによって、糊代で貼り合わせた後の仕上がり用紙において、余白を少なくすることができる。
（Ｋ０２）印刷用紙毎に画像記録領域を設定することによって、元画像を拡大又は縮小して分割印刷する際に、仕上がり用紙の余白を少なくすることができる。
（Ｋ０３）表面及び裏面それぞれの画像記録領域を設定することによって、両面印刷時に、貼り合わせた後の仕上がり用紙において、表面及び裏面の両側の画像を連続して形成することができる。また、貼り合わせ順を任意に選択できることにより、仕上がり用紙において、分割したくない画像部分の分割を最小にできる。
（Ｋ０４）糊代幅や倍率を適切に設定して余白を無くすことにより、余白の切断作業をなくし、余白の裁断作業をなくし、無駄な紙の発生を無くすことができる。
【図面の簡単な説明】
【図１】図１は本発明の印刷処理システムの実施の形態１の説明図である。
【図２】図２は前記図１に示す印刷処理システムのクライアントパソコンの機能をブロック図（機能ブロック図）で示した図である。
【図３】図３は本発明の画像処理プログラムとしての印刷形式設定プログラムの機能実現手段によってクライアントパソコン又はプリンタサーバのディスプレイに表示される分割印刷設定画面（片面印刷指定時）の説明図である。
【図４】図４はクライアントパソコンに組み込まれているアプリケーションプログラムの印刷開始入力画面の説明図である。
【図５】図５は前記図１に示す印刷処理システムのプリンタサーバ及びプリンタの機能をブロック図（機能ブロック図）で示した図である。
【図６】図６は本発明の印刷情報処理手段の機能実現手段によってプリンタサーバのディスプレイに表示されるメイン画面の説明図である。
【図７】図７は本発明の実施の形態１の印刷処理システムのクライアントパソコンにおける印刷設定処理のフローチャートである。
【図８】図８は、前記図７の印刷設定処理の分割設定処理のサブルーチンのフローチャートである。
【図９】図９は倍率自動設定が選択された場合の分割印刷設定画面の説明図である。
【図１０】図１０は糊代サイズが変更された場合の分割印刷設定画面の説明図である。
【図１１】図１１は分割数が変更された場合の分割印刷設定画面の説明図である。
【図１２】図１２は重ね合わせ順序が変更された場合の分割印刷設定画面の説明図である。
【図１３】図１３は余白を最小にする選択がされた場合の分割印刷設定画面の説明図である。
【図１４】図１４は前記図８の分割設定処理における初期設定表示処理のサブルーチンのフローチャートである。
【図１５】図１５は、前記図８の分割設定処理における倍率自動設定処理のサブルーチンのフローチャートである。
【図１６】図１６は、前記図８の分割設定処理における分割数設定処理のサブルーチンのフローチャートである。
【図１７】図１７は前記図８の分割設定処理における使用用紙変更処理のサブルーチンのフローチャートである。
【図１８】図１８は前記図８の分割設定処理における重なり順変更処理のサブルーチンのフローチャートである。
【図１９】図１９は重なり順選択画面の説明図である。
【図２０】図２０は前記図１８の重なり順変更処理において使用される表裏対応テーブルの説明図である。
【図２１】図２１は前記図８の分割設定処理における余白最小設定処理のサブルーチンのフローチャートである。
【図２２】図２２は本発明の実施の形態１の印刷処理システムのプリンタサーバにおける処理のメインフローチャートである。
【図２３】図２３は前記図２２のプリンタサーバの処理における分割印刷処理のサブルーチンのフローチャートである。
【図２４】図２４は前記図２３の分割印刷処理における画像記録領域設定処理のサブルーチンのフローチャートである。
【図２５】図２５は図１３に示す分割印刷の設定で印刷を実行した場合に印刷される画像印刷用紙の説明図であり、図２５Ａは重なり順番号１番目の画像印刷用紙の説明図、図２５Ｂは重なり順番号２番目の画像印刷用紙の説明図、図２５Ｃは重なり順番号３番目の画像印刷用紙の説明図、図２５Ｄは重なり順番号４番目の画像印刷用紙の説明図である。
【図２６】図２６は、前記図２５の画像印刷用紙を糊代で貼り合わせた後の仕上がり用紙の説明図である。
【図２７】図２７は、前記図３７の元画像に対して分割印刷の設定を行う場合に表示される上綴じ時両面印刷用分割印刷設定画面の説明図である。
【図２８】図２８は、前記図２７の上綴じ時両面印刷用分割印刷設定画面において、用紙サイズを変更し、余白を最小にする選択を行った場合の上綴じ時両面印刷用分割印刷設定画面の説明図である。
【図２９】図２９は前記図２８に示す印刷パラメータで両面印刷した場合に印刷される画像印刷用紙表面の説明図であり、図２９Ａは表面側の重なり順番号１番目の画像印刷用紙の説明図、図２９Ｂは表面側の重なり順番号２番目の画像印刷用紙の説明図、図２９Ｃは表面側の重なり順番号３番目の画像印刷用紙の説明図、図２９Ｄは表面側の重なり順番号４番目の画像印刷用紙の説明図である。
【図３０】図３０は前記図２８に示す印刷パラメータで両面印刷した場合に印刷される画像印刷用紙裏面の説明図であり、図３０Ａは前記図２９Ａの画像印刷用紙の裏面の説明図、図３０Ｂは前記図２９Ｂの画像印刷用紙の裏面の説明図、図３０Ｃは前記図２９Ｃの画像印刷用紙の裏面の説明図、図３０Ｄは前記図２９Ｄの画像印刷用紙の裏面の説明図である。。
【図３１】図３１は前記図２９及び図３０の画像印刷用紙を糊代領域で貼り合わせた状態を示す説明図であり、図３１Ａは表面の画像を示す図、図３１Ｂは裏面の画像を示す図である。
【図３２】図３２は、前記図３７の元画像に対して分割印刷の設定を行う場合に表示される左右綴じ時両面印刷用分割印刷設定画面の説明図である。
【図３３】図３３は、前記図３２の左右綴じ時両面印刷用分割印刷設定画面において、用紙サイズを変更し、余白を最小にする選択を行った場合の左右綴じ時両面印刷用分割印刷設定画面の説明図である。
【図３４】図３４は前記図３３に示す印刷パラメータで両面印刷した場合に印刷される画像印刷用紙表面の説明図であり、図３４Ａは表面側の重なり順番号１番目の画像印刷用紙の説明図、図３４Ｂは表面側の重なり順番号２番目の画像印刷用紙の説明図、図３４Ｃは表面側の重なり順番号３番目の画像印刷用紙の説明図、図３４Ｄは表面側の重なり順番号４番目の画像印刷用紙の説明図である。
【図３５】図３５は前記図３３に示す印刷パラメータで両面印刷した場合に印刷される画像印刷用紙裏面の説明図であり、図３５Ａは前記図３４Ａの画像印刷用紙の裏面説明図、図３５Ｂは前記図３４Ｂの画像印刷用紙の裏面の説明図、図３５Ｃは前記図３４Ｃの画像印刷用紙の裏面の説明図、図３５Ｄは前記図３４Ｄの画像印刷用紙の裏面の説明図である。
【図３６】図３６は前記図３４及び図３５の画像印刷用紙を糊代領域で貼り合わせた状態を示す説明図であり、図３６Ａは表面の画像を示す図、図３６Ｂは裏面の画像を示す図である。
【図３７】図３７は、従来の分割印刷において、両面印刷する際の元画像の一例を示す説明図であり、図３７Ａは表面側の元画像の説明図、図３７Ｂは裏面側の元画像の説明図である。
【図３８】図３８は、従来の分割印刷において、左右綴じの場合の両面印刷時の分割画像及び糊代の位置を示す説明図であり、図３８Ａは表面左側の分割画像及び糊代の説明図、図３８Ｂは表面右側の分割画像の説明図、図３８Ｃは裏面左側（表面右側の裏面）の分割画像及び糊代の説明図、図３８Ｄは裏面右側（表面左側の裏面）の分割画像の説明図である。
【図３９】図３９は、従来の分割印刷において、上下綴じの場合の両面印刷時の分割画像及び糊代の位置を示す説明図であり、図３９Ａは表面左側の分割画像及び糊代の説明図、図３９Ｂは表面右側の分割画像の説明図、図３９Ｃは裏面左側（表面左側の裏面）の分割画像及び糊代の説明図、図３９Ｄは裏面右側（表面右側の裏面）の分割画像の説明図である。
【図４０】図４０は、従来の分割印刷において、上下綴じの場合の両面印刷時の仕上がり用紙の説明図であり、図４０Ａは表面側の仕上がり用紙上の画像の説明図、図４０Ｂは裏面側の仕上がり用紙上の画像の説明図である。
【符号の説明】
１…分割印刷設定画面、３…印刷用紙設定画像、４…糊代設定画像、６…仕上がり用紙画像、７…用紙元画像重合画像、７′…用紙倍率乗算画像重合画像、８…倍率設定画像、８ａ…倍率自動設定選択画像、９…重合わせ順序設定画像、Ｃ１…元画像記憶手段、Ｃ２…分割印刷設定画面表示手段、Ｃ３…印刷用紙設定手段、Ｃ３Ａ…使用可能用紙サイズ記憶手段、Ｃ３Ｂ…印刷用紙設定画像表示手段、Ｃ３Ｃ…印刷用紙設定値記憶手段、Ｃ３Ｄ…印刷用紙自動設定手段、Ｃ３Ｅ…印刷用紙自動設定値記憶手段、Ｃ４…糊代設定手段、Ｃ４Ａ…糊代設定画像表示手段、Ｃ４Ｂ…糊代幅設定値記憶手段、Ｃ４Ｃ…糊代幅自動設定手段、Ｃ４Ｄ…糊代幅自動設定値記憶手段、Ｃ５…糊代重合用紙表示手段、Ｃ６…用紙・元画像重合画像表示手段、Ｃ７…倍率設定手段、Ｃ７Ａ…倍率設定画像表示手段、Ｃ７Ｂ…倍率設定値記憶手段、Ｃ７Ｃ…倍率自動設定手段、Ｃ７Ｃ１…倍率自動設定選択画像表示手段、Ｃ７Ｃ２…倍率自動設定値記憶手段、Ｃ８…用紙・倍率乗算画像重合画像表示手段、Ｃ９…綴じ位置指定記憶手段、Ｃ１０…重合わせ順序設定手段、Ｃ１０Ａ…重ね合わせ順序設定画像表示手段、Ｃ１０Ｂ…重合わせ順序記憶手段、Ｃ１０Ｃ…重ね合わせ順序初期設定記憶手段、Ｃ１１…糊代位置設定手段、Ｃ１１Ａ…糊代位置自動設定手段、Ｃ１１Ｂ…糊代位置記憶手段、Ｃ２１…印刷データ作成手段、Ｃ２２…印刷データ送信手段、Ｃ２３，Ｃ３５Ｃ…裏面記録時設定値自動設定手段、Ｃ３１…受信印刷データ記憶手段、Ｃ３５Ａ…画像記録領域演算記憶手段、Ｃ３５Ｂ…印刷画像データ割り付け手段、Ｃ３６…印刷制御手段、Ｃ４１…画像記録手段、Ｇ…元画像、Ｇ′…倍率乗算画像、Ｐ１…画像処理プログラム、ＰＣ…クライアントパソコン、Ｐｒ…プリンタ，印刷装置、ＰＳ…プリントサーバ、ＰＳ，Ｐｒ…画像処理装置。
【図１】
2004288068.tif 000003
【図２】
2004288068.tif 000004
【図３】
2004288068.tif 000005
【図４】
2004288068.tif 000006
【図５】
2004288068.tif 000007
【図６】
2004288068.tif 000008
【図７】
2004288068.tif 000009
【図８】
2004288068.tif 000010
【図９】
2004288068.tif 000011
【図１０】
2004288068.tif 000012
【図１１】
2004288068.tif 000013
【図１２】
2004288068.tif 000014
【図１３】
2004288068.tif 000015
【図１４】
2004288068.tif 000016
【図１５】
2004288068.tif 000017
【図１６】
2004288068.tif 000018
【図１７】
2004288068.tif 000019
【図１８】
2004288068.tif 000020
【図１９】
2004288068.tif 000021
【図２０】
2004288068.tif 000022
【図２１】
2004288068.tif 000023
【図２２】
2004288068.tif 000024
【図２３】
2004288068.tif 000025
【図２４】
2004288068.tif 000026
【図２５】
2004288068.tif 000027
【図２６】
2004288068.tif 000028
【図２７】
2004288068.tif 000029
【図２８】
2004288068.tif 000030
【図２９】
2004288068.tif 000031
【図３０】
2004288068.tif 000032
【図３１】
2004288068.tif 000033
【図３２】
2004288068.tif 000034
【図３３】
2004288068.tif 000035
【図３４】
2004288068.tif 000036
【図３５】
2004288068.tif 000037
【図３６】
2004288068.tif 000038
【図３７】
2004288068.tif 000039
【図３８】
2004288068.tif 000040
【図３９】
2004288068.tif 000041
【図４０】
2004288068.tif 000042